(57)【要約】  システムおよび方法は、マルチSIMの機能を用いてマルチSIMワイヤレス装置上でコールが断絶されることを防止する。様々な実施形態において、アクティブコール中の信号品質のためにネットワーク状態がモニタリングされ得る。ネットワーク上の信号品質が低下する場合、マルチSIMワイヤレス装置はより良好なサービスを提供する異なるSIMと関連付けられたネットワークにアクティブコールを切り替えることができる。そのような切替えを可能にするために、マルチSIMワイヤレス装置は被呼者および異なるSIMとの会議コールをセットアップすることができる。様々な実施形態において、マルチSIMワイヤレス装置はデュアルSIMデュアルアクティブ(DSDA: dual-SIM dual active)ワイヤレス装置であることができる。
2016511622.tif 000002
【特許請求の範囲】
【請求項１】
少なくとも第1のSIMおよび第2のSIMを含むマルチSIMワイヤレス装置上でワイヤレス通信の品質を維持するための方法であって、
前記第1のSIMと関連付けられた第1のネットワーク上で第3者装置との第1のアクティブコールを確立するステップと、
前記第1のアクティブコールが前記第2のSIMと関連付けられた第2のネットワークへ伝送されるべきか否かを決定するステップと、
前記第1のアクティブコールが前記第2のネットワークへ伝送されるべきものと決定されることに応じて、前記マルチSIMワイヤレス装置、前記第2のSIMと関連付けられた前記第2のネットワーク、および前記第3者装置間の多者会議コールを、前記第1のSIMと関連付けられた前記第1のネットワークを通して確立するステップと、
前記第2のSIMと関連付けられた前記第2のネットワークを通して前記多者会議コールが前記マルチSIMワイヤレス装置と前記第3者装置との間の新たなアクティブコールになるように前記第1のアクティブコールをリリースするステップと
を含む方法。
【請求項２】
前記多者会議コールを確立するステップは、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからの前記ページング信号に応じて、第2のアクティブコールを確立するステップと、
前記第1のアクティブコールを待機状態から解除するステップと
を含む請求項1に記載の方法。
【請求項３】
前記第1のアクティブコールが前記第2のネットワークへ伝送されるべきか否かを決定するステップは、
前記マルチSIMワイヤレス装置での第1のネットワーク接続の無線チャネル状態をモニタリングするステップと、
前記第1のネットワーク接続の前記無線チャネル状態に基づいて、前記第1のネットワーク接続が十分に低下したか否かを決定するステップと
を含む請求項2に記載の方法。
【請求項４】
前記第1のネットワーク接続の無線チャネル状態をモニタリングするステップは、
前記第1のネットワークの待機されたセルの無線チャネルについて受信信号強度をモニタリングするステップと、
前記第1のネットワークの前記待機されたセルについて受信信号強度インジケータ(RSSI)値を算出するステップと
を含む請求項3に記載の方法。
【請求項５】
前記第1のネットワーク接続が十分に低下したか否かを決定するステップは、
前記第1のネットワークの前記待機されたセルについて算出されたRSSI値をコール失敗しきい値と比較するステップを含む請求項4に記載の方法。
【請求項６】
前記第1のネットワークの前記セルについて算出されたRSSI値が前記コール失敗しきい値未満であるか否かを決定するステップをさらに含む請求項5に記載の方法。
【請求項７】
前記第1のSIMに前記ページング信号を送信するように前記第2のSIMと関連付けられた前記第2のネットワークをトリガーするステップは、
前記算出されたRSSI値がトリガーしきい値未満であるものと決定されることに応じてタイマーを開始するステップと、
前記タイマーが終了されたか否かを決定するステップとを含み、
前記タイマーの終了時、前記ページング信号を送信するように前記第2のSIMと関連付けられた前記第2のネットワークをトリガーするステップが遂行される請求項6に記載の方法。
【請求項８】
前記タイマーが作動中であるか否かを決定し、前記第1のネットワークの前記セルについて算出されたRSSI値が前記トリガーしきい値未満でないものと決定されることに応じて前記タイマーを取消すステップをさらに含む請求項7に記載の方法。
【請求項９】
前記トリガーしきい値は、前記コール失敗しきい値に等しい請求項8に記載の方法。
【請求項１０】
前記トリガーしきい値は、前記コール失敗しきい値とは独立的である請求項8に記載の方法。
【請求項１１】
前記タイマーの持続時間は、前記マルチSIMワイヤレス装置により受信されたユーザ入力に応じてあらかじめ設定される請求項7に記載の方法。
【請求項１２】
前記コール失敗しきい値は、前記マルチSIMワイヤレス装置により受信されたユーザ入力に基づいて決定される請求項5に記載の方法。
【請求項１３】
前記第1のネットワーク接続が十分に低下したか否かを決定するステップは、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
をさらに含む請求項5に記載の方法。
【請求項１４】
前記第1のアクティブコールが前記第2のネットワークへ伝送されるか否かを決定するステップは、前記第2のSIMがアイドル状態であるか否かを決定するステップをさらに含む請求項13に記載の方法。
【請求項１５】
前記第1のアクティブコールが前記第2のネットワークへ伝送されるか否かを決定するステップは、前記第1のネットワーク内の1つまたは複数の隣接するセルから前記マルチSIMワイヤレス装置により十分な信号が受信されるか否かを決定するステップを含み、
前記第1のネットワーク内の1つまたは複数の隣接するセルから前記マルチSIMワイヤレス装置により十分な信号が受信されるものと決定されることに応じて、前記第1のアクティブコールは、前記第1のネットワーク上で維持され隣接するセルにハンドオフされる請求項1に記載の方法。
【請求項１６】
前記第1のネットワーク接続の無線チャネル状態をモニタリングするステップは、前記第1のネットワークの受信された無線信号のキャリアに対する雑音比をモニタリングするステップを含む請求項3に記載の方法。
【請求項１７】
前記第1のアクティブコールをリリースするステップは、Explicit Call Transfer (ECT)付加サービス要求を含むメッセージを前記第1のネットワークのコンポーネントに送信するステップを含む請求項1に記載の方法。
【請求項１８】
前記マルチSIMワイヤレス装置は、デュアルSIMデュアルアクティブ(DSDA: dual-SIM dual active)ワイヤレス通信装置である請求項1に記載の方法。
【請求項１９】
前記第1のネットワークにより実施されるチャネルアクセス方法は、前記第2のネットワークにより実施されるチャネルアクセス方法と異なる請求項1に記載の方法。
【請求項２０】
前記第1のSIMと前記第2のSIMとの間のコール伝送を無効にするように選択可能なオプションを、ユーザインターフェースを通して提示するステップをさらに含み、
前記第1のアクティブコールが前記第2のネットワークへ伝送されるか否かを決定するステップは、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持される請求項1に記載の方法。
【請求項２１】
前記第1のSIMと前記第2のSIMとの間のコール伝送を無効にするように選択可能なオプションを、前記ユーザインターフェースを通して提示するステップは、1セットの基準を満たすコールについてのコール伝送を無効にするように選択可能なオプションを提示するステップを含む請求項20に記載の方法。
【請求項２２】
前記マルチSIMワイヤレス装置の現在位置を決定するステップと、
前記マルチSIMワイヤレス装置の現在位置に基づいて第1のネットワーク接続が十分に低下するか否かを予測するステップと
をさらに含む請求項1に記載の方法。
【請求項２３】
前記第1のネットワーク接続が十分に低下するか否かを予測するステップは、前記第1のネットワークについての低品質受信ゾーンのデータベースにアクセスすることによって遂行される請求項22に記載の方法。
【請求項２４】
前記第1のネットワーク接続が十分に低下するか否かを予測するステップは、前記第1のネットワークを通した前記マルチSIMワイヤレス装置上の以前の通信からの格納された記録を用いて遂行される請求項22に記載の方法。
【請求項２５】
マルチSIMワイヤレス装置であって、
ディスプレイと、
メモリと、
第1のSIMと関連付けられた少なくとも第1のネットワークとインターフェースするように構成されたトランシーバと、
前記ディスプレイ、前記メモリ、および前記トランシーバに連結されるプロセッサとを含み、
前記プロセッサは、
前記第1のSIMと関連付けられた前記第1のネットワーク上で第3者装置との第1のアクティブコールを確立するステップと、
前記第1のアクティブコールが第2のSIMと関連付けられた第2のネットワークへ伝送されるべきか否かを決定するステップと、
前記第1のアクティブコールが前記第2のネットワークへ伝送されるべきものと決定されることに応じて、前記第2のSIMと関連付けられた前記第2のネットワークおよび前記第3者装置との多者会議コールを、前記第1のSIMと関連付けられた前記第1のネットワークを通して確立するステップと、
前記第2のSIMと関連付けられた前記第2のネットワークを通して前記多者会議コールが前記第3者装置との間で新たなアクティブコールになるように前記第1のアクティブコールをリリースするステップと
を含む動作を遂行するように構成されるマルチSIMワイヤレス装置。
【請求項２６】
前記プロセッサは、
前記多者会議コールを確立するステップが、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからのページング信号に応じて、第2のアクティブコールを確立するステップと、
前記第1のアクティブコールを待機状態から解除するステップと
を含むように
動作を遂行するように構成される請求項25に記載のマルチSIMワイヤレス装置。
【請求項２７】
前記プロセッサは、
前記第1のアクティブコールが前記第2のネットワークへ伝送されるべきか否かを決定するステップが、
第1のネットワーク接続の無線チャネル状態をモニタリングするステップと、
前記第1のネットワーク接続の無線チャネル状態に基づいて、前記第1のネットワーク接続が十分に低下したか否かを決定するステップと
を含むように
動作を遂行するように構成される請求項26に記載のマルチSIMワイヤレス装置。
【請求項２８】
前記プロセッサは、
前記第1のネットワーク接続の無線チャネル状態をモニタリングするステップが、
前記第1のネットワークの待機されたセルの無線チャネルについて受信信号強度をモニタリングするステップと、
前記第1のネットワークの前記待機されたセルについて受信信号強度インジケータ(RSSI)値を算出するステップと
を含むように
動作を遂行するように構成される請求項27に記載のマルチSIMワイヤレス装置。
【請求項２９】
前記プロセッサは、
前記第1のネットワーク接続が十分に低下したか否かを決定するステップが、前記第1のネットワークの前記待機されたセルについて算出されたRSSI値をコール失敗しきい値と比較するステップを含むように動作を遂行するように構成される請求項28に記載のマルチSIMワイヤレス装置。
【請求項３０】
前記プロセッサは、前記第1のネットワークの前記セルについて算出されたRSSI値が前記コール失敗しきい値未満であるか否かを決定するステップをさらに含む動作を遂行するように構成される請求項29に記載のマルチSIMワイヤレス装置。
【請求項３１】
前記プロセッサは、
前記第1のSIMに前記ページング信号を送信するように前記第2のSIMと関連付けられた前記第2のネットワークをトリガーするステップが、
前記算出されたRSSI値がトリガーしきい値未満であるものと決定されることに応じてタイマーを開始するステップと、
前記タイマーが終了されたか否かを決定するステップとを含み、
前記第2のSIMと関連付けられた前記第2のネットワークをトリガーするステップが、前記タイマーの終了時に遂行される
ように動作を遂行するように構成される請求項30に記載のマルチSIMワイヤレス装置。
【請求項３２】
前記プロセッサは、前記タイマーが作動中であるか否かを決定し前記第1のネットワークの前記セルについて算出されたRSSI値が前記トリガーしきい値未満であるものと決定されることに応じて前記タイマーを取消すステップをさらに含む動作を遂行するように構成される、請求項31に記載のマルチSIMワイヤレス装置。
【請求項３３】
前記トリガーしきい値は、前記コール失敗しきい値と等しい請求項31に記載のマルチSIMワイヤレス装置。
【請求項３４】
前記トリガーしきい値は、前記コール失敗しきい値とは独立的である請求項31に記載のマルチSIMワイヤレス装置。
【請求項３５】
前記タイマーの持続時間は、受信されたユーザ入力に応じてあらかじめ設定される請求項31に記載のマルチSIMワイヤレス装置。
【請求項３６】
前記コール失敗しきい値は、受信されたユーザ入力に基づいて決定される請求項29に記載のマルチSIMワイヤレス装置。
【請求項３７】
前記プロセッサは、
前記第1のネットワーク接続が十分に低下したか否かを決定するステップが、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
を含むように
動作を遂行するように構成される請求項29に記載のマルチSIMワイヤレス装置。
【請求項３８】
前記プロセッサは、
前記第1のアクティブコールが前記第2のネットワークへ伝送されるか否かを決定するステップが前記第2のSIMがアイドル状態であるか否かを決定するステップをさらに含むように
動作を遂行するように構成される請求項37に記載のマルチSIMワイヤレス装置。
【請求項３９】
前記プロセッサは、
前記第1のアクティブコールが前記第2のネットワークへ伝送されるか否かを決定するステップが前記第1のネットワーク内の1つまたは複数の隣接するセルから十分な信号が受信されるか否かを決定するステップを含み、
前記第1のネットワーク内の1つまたは複数の隣接するセルから十分な信号が受信されるものと決定されることに応じて、前記第1のアクティブコールは前記第1のネットワーク上で維持され隣接するセルにハンドオフされるように
動作を遂行するように構成される請求項25に記載のマルチSIMワイヤレス装置。
【請求項４０】
前記プロセッサは、
前記第1のネットワーク接続の無線チャネル状態をモニタリングするステップが、前記第1のネットワークの受信された無線信号のキャリアに対する雑音比をモニタリングするステップを含むように
動作を遂行するように構成される請求項27に記載のマルチSIMワイヤレス装置。
【請求項４１】
前記プロセッサは、
前記第1のアクティブコールをリリースするステップが、Explicit Call Transfer (ECT)付加サービス要求を含むメッセージを前記第1のネットワークのコンポーネントに送信するステップを含むように
動作を遂行するように構成される請求項25に記載のマルチSIMワイヤレス装置。
【請求項４２】
前記マルチSIMワイヤレス装置は、デュアルSIMデュアルアクティブ(DSDA)ワイヤレス通信装置である請求項25に記載のマルチSIMワイヤレス装置。
【請求項４３】
前記第1のネットワークにより実施されるチャネルアクセス方法は、前記第2のネットワークにより実施されるチャネルアクセス方法と異なる請求項25に記載のマルチSIMワイヤレス装置。
【請求項４４】
前記プロセッサは、
前記第1のSIMと前記第2のSIMとの間のコール伝送を無効にするように選択可能なオプションを、ユーザインターフェースを通して提示するステップをさらに含む動作を遂行し、
前記第1のアクティブコールが前記第2のネットワークへ伝送されるか否かを決定するステップが、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持されるように動作を遂行するように構成される請求項25に記載のマルチSIMワイヤレス装置。
【請求項４５】
前記プロセッサは、
前記第1のSIMと前記第2のSIMとの間のコール伝送を無効にするように選択可能なオプションを、前記ユーザインターフェースを通して提示するステップは、1セットの基準を満たすコールについてのコール伝送を無効にするように選択可能なオプションを提示するステップを含むように動作を遂行するように構成される請求項44に記載のマルチSIMワイヤレス装置。
【請求項４６】
前記プロセッサは、
前記マルチSIMワイヤレス装置の現在位置を決定するステップと、
前記マルチSIMワイヤレス装置の前記現在位置に基づいて第1のネットワーク接続が十分に低下するか否かを予測するステップと
をさらに含む動作を遂行するように構成される請求項25に記載のマルチSIMワイヤレス装置。
【請求項４７】
前記プロセッサは、
前記第1のネットワーク接続が十分に低下するか否かを予測するステップが、前記第1のネットワークについての低品質受信ゾーンのデータベースにアクセスすることによって遂行されるように動作を遂行するように構成される請求項46に記載のマルチSIMワイヤレス装置。
【請求項４８】
前記プロセッサは、
前記第1のネットワーク接続が十分に低下するか否かを予測するステップが、前記第1のネットワークを通した前記マルチSIMワイヤレス装置上の以前の通信からの格納された記録を用いて遂行されるように動作を遂行するように構成される請求項47に記載のマルチSIMワイヤレス装置。
【請求項４９】
マルチSIMワイヤレス装置であって、
前記マルチSIMワイヤレス装置の第1のSIMと関連付けられた第1のネットワーク上で第3者装置との第1のアクティブコールを確立するための手段と、
前記第1のアクティブコールが前記マルチSIMワイヤレス装置の第2のSIMと関連付けられた第2のネットワークへ伝送されるべきか否かを決定するための手段と、
前記第1のアクティブコールが前記第2のネットワークへ伝送されるべきものと決定されることに応じて、前記マルチSIMワイヤレス装置、前記第2のSIMと関連付けられた前記第2のネットワークおよび前記第3者装置間の多者会議コールを、前記第1のSIMと関連付けられた前記第1のネットワークを通して確立するための手段と、
前記第2のSIMと関連付けられた前記第2のネットワークを通して前記多者会議コールが前記マルチSIMワイヤレス装置と前記第3者装置との間の新たなアクティブコールになるように前記第1のアクティブコールをリリースするための手段と
を含むマルチSIMワイヤレス装置。
【請求項５０】
前記多者会議コールを確立するための手段は、
前記第1のSIMにページング信号を送信するように前記第2のSIMと関連付けられた前記第2のネットワークをトリガーするための手段と、
前記第1のアクティブコールを待機状態にするための手段と、
前記第2のSIMと関連付けられた前記第2のネットワークからの前記ページング信号に応じて、第2のアクティブコールを確立するための手段と、
前記第1のアクティブコールを待機状態から解除するための手段と
を含む請求項49に記載のマルチSIMワイヤレス装置。
【請求項５１】
前記第1のアクティブコールが前記第2のネットワークへ伝送されるべきか否かを決定するための手段は、
前記マルチSIMワイヤレス装置での第1のネットワーク接続の無線チャネル状態をモニタリングするための手段と、
前記第1のネットワーク接続の無線チャネル状態に基づいて、前記第1のネットワーク接続が十分に低下したか否かを決定するための手段と
を含む請求項50に記載のマルチSIMワイヤレス装置。
【請求項５２】
前記第1のネットワーク接続の無線チャネル状態をモニタリングするための手段は、
前記第1のネットワークの待機されたセルの無線チャネルについて受信信号強度をモニタリングするための手段と、
前記第1のネットワークの前記待機されたセルについて受信信号強度インジケータ(RSSI)値を算出するための手段と
を含む請求項51に記載のマルチSIMワイヤレス装置。
【請求項５３】
前記第1のネットワーク接続が十分に低下したか否かを決定するための手段は、前記第1のネットワークの前記待機されたセルについて算出されたRSSI値をコール失敗しきい値と比較するための手段を含む請求項52に記載のマルチSIMワイヤレス装置。
【請求項５４】
前記第1のネットワークの前記セルについて算出されたRSSI値が前記コール失敗しきい値未満であるか否かを決定するための手段をさらに含む請求項53に記載のマルチSIMワイヤレス装置。
【請求項５５】
前記第1のSIMに前記ページング信号を送信するように前記第2のSIMと関連付けられた前記第2のネットワークをトリガーするための手段は、
前記算出されたRSSI値がトリガーしきい値未満であるものと決定されることに応じてタイマーを開始するための手段と、
前記タイマーが終了されたか否かを決定するための手段とを含み、
前記タイマーの終了時、前記第2のSIMと関連付けられた前記第2のネットワークをトリガーすることが遂行される請求項54に記載のマルチSIMワイヤレス装置。
【請求項５６】
前記タイマーが作動中であるか否かを決定し前記第1のネットワークの前記セルについて算出されたRSSI値が前記トリガーしきい値未満でないものと決定されることに応じて前記タイマーを取消すための手段をさらに含む請求項55に記載のマルチSIMワイヤレス装置。
【請求項５７】
前記トリガーしきい値は、前記コール失敗しきい値と等しい請求項56に記載のマルチSIMワイヤレス装置。
【請求項５８】
前記トリガーしきい値は、前記コール失敗しきい値とは独立的である請求項56に記載のマルチSIMワイヤレス装置。
【請求項５９】
前記タイマーの持続時間は、前記マルチSIMワイヤレス装置により受信されたユーザ入力に応じてあらかじめ設定される請求項55に記載のマルチSIMワイヤレス装置。
【請求項６０】
前記コール失敗しきい値は、前記マルチSIMワイヤレス装置により受信されたユーザ入力に基づいて決定される請求項55に記載のマルチSIMワイヤレス装置。
【請求項６１】
前記第1のネットワーク接続が十分に低下したか否かを決定するための手段は、
前記第2のネットワークの待機されたセルについて受信信号強度をモニタリングするための手段と、
前記第2のネットワークの前記待機されたセルの無線チャネルについてRSSI値を算出するための手段と、
前記第1および第2のネットワークの前記待機されたセルについて算出されたRSSI値を比較するための手段と
をさらに含む請求項53に記載のマルチSIMワイヤレス装置。
【請求項６２】
前記第1のアクティブコールが前記第2のネットワークへ伝送されるか否かを決定するための手段は、前記第2のSIMがアイドル状態であるか否かを決定するための手段をさらに含む請求項61に記載のマルチSIMワイヤレス装置。
【請求項６３】
前記第1のアクティブコールが前記第2のネットワークへ伝送されるか否かを決定するための手段は、前記第1のネットワーク内の1つまたは複数の隣接するセルから前記マルチSIMワイヤレス装置により十分な信号が受信されるか否かを決定するための手段を含み、
前記第1のネットワーク内の1つまたは複数の隣接するセルから前記マルチSIMワイヤレス装置により十分な信号が受信されるものと決定されることに応じて、前記第1のアクティブコールは前記第1のネットワーク上で維持され隣接するセルにハンドオフされる請求項49に記載のマルチSIMワイヤレス装置。
【請求項６４】
前記第1のネットワーク接続の無線チャネル状態をモニタリングするための手段は、前記第1のネットワークの受信された無線信号のキャリアに対する雑音比をモニタリングするための手段を含む請求項51に記載のマルチSIMワイヤレス装置。
【請求項６５】
前記第1のアクティブコールをリリースするための手段は、Explicit Call Transfer (ECT)付加サービス要求を含むメッセージを前記第1のネットワークのコンポーネントに送信するための手段を含む請求項49に記載のマルチSIMワイヤレス装置。
【請求項６６】
前記マルチSIMワイヤレス装置は、デュアルSIMデュアルアクティブ(DSDA)ワイヤレス通信装置である請求項49に記載のマルチSIMワイヤレス装置。
【請求項６７】
前記第1のネットワークにより実施されるチャネルアクセスのための手段は、前記第2のネットワークにより実施されるチャネルアクセスのための手段と異なる請求項49に記載のマルチSIMワイヤレス装置。
【請求項６８】
前記第1のSIMと前記第2のSIMとの間のコール伝送を無効にするように選択可能なオプションを、ユーザインターフェースを通して提示する手段をさらに含み、
前記第1のアクティブコールが前記第2のネットワークへ伝送されるか否かを決定するための手段は、前記第1のSIMと前記第2のSIMとの間のコール伝送を無効にするユーザ入力が受信されたか否かを決定するための手段を含み、
前記コール伝送オプションが無効にされたものと決定されることに応じて、前記第1のアクティブコールが前記第1のネットワーク上に維持される請求項49に記載のマルチSIMワイヤレス装置。
【請求項６９】
前記第1のSIMと前記第2のSIMとの間のコール伝送を無効にするように選択可能なオプションを、前記ユーザインターフェースを通して提示するための手段は、1セットの基準を満たすコールについてのコール伝送を無効にするように選択可能なオプションを提示するための手段を含む請求項68に記載のマルチSIMワイヤレス装置。
【請求項７０】
前記マルチSIMワイヤレス装置の現在位置を決定するための手段と、
前記マルチSIMワイヤレス装置の前記現在位置に基づいて第1のネットワーク接続が十分に低下するか否かを予測するための手段と
をさらに含む請求項49に記載のマルチSIMワイヤレス装置。
【請求項７１】
前記第1のネットワーク接続が十分に低下するか否かを予測するための手段は、前記第1のネットワークについての低品質受信ゾーンのデータベースにアクセスするための手段を含む請求項70に記載のマルチSIMワイヤレス装置。
【請求項７２】
前記第1のネットワーク接続が十分に低下するか否かを予測するための手段は、前記第1のネットワークを通した前記マルチSIMワイヤレス装置上の以前の通信からの格納された記録を用いるための手段を含む請求項70に記載のマルチSIMワイヤレス装置。
【請求項７３】
マルチSIMワイヤレス装置プロセッサが動作を遂行するように構成されたプロセッサ実行可能命令語を格納した非一時的プロセッサ読取り可能記憶媒体において、前記動作は、
第1のSIMと関連付けられた第1のネットワーク上で第3者装置との第1のアクティブコールを確立するステップと、
前記第1のアクティブコールが第2のSIMと関連付けられた第2のネットワークへ伝送されるべきか否かを決定するステップと、
前記第1のアクティブコールが前記第2のネットワークへ伝送されるべきものと決定されることに応じて、前記第2のSIMと関連付けられた前記第2のネットワークおよび前記第3者装置との多者会議コールを、前記第1のSIMと関連付けられた前記第1のネットワークを通して確立するステップと、
前記第2のSIMと関連付けられた前記第2のネットワークを通して前記多者会議コールが前記第3者装置との新たなアクティブコールになるように前記第1のアクティブコールをリリースするステップと
を含む非一時的プロセッサ読取り可能記憶媒体。
【請求項７４】
前記格納されたプロセッサ実行可能命令語は、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからのページング信号に応じて、第2のアクティブコールを確立するステップと、
前記第1のアクティブコールを待機状態から解除するステップと
をさらに含む動作を前記マルチSIMワイヤレス装置プロセッサが遂行するように構成される請求項73に記載の非一時的プロセッサ読取り可能記憶媒体。
【請求項７５】
前記格納されたプロセッサ実行可能命令語は、
前記第1のアクティブコールが前記第2のネットワークへ伝送されるべきか否かを決定するステップが、
前記マルチSIMワイヤレス装置内の第1のネットワーク接続の無線チャネル状態をモニタリングするステップと、
前記第1のネットワーク接続の無線チャネル状態に基づいて、前記第1のネットワーク接続が十分に低下したか否かを決定するステップと
を含むように
前記マルチSIMワイヤレス装置プロセッサが動作を遂行するように構成される請求項74に記載の非一時的プロセッサ読取り可能記憶媒体。
【請求項７６】
前記格納されたプロセッサ実行可能命令語は、
前記第1のネットワーク接続の無線チャネル状態をモニタリングするステップが、
前記第1のネットワークの待機されたセルの無線チャネルについて受信信号強度をモニタリングするステップと、
前記第1のネットワークの前記待機されたセルについて受信信号強度インジケータ(RSSI)値を算出するステップと
を含むように
前記マルチSIMワイヤレス装置プロセッサが動作を遂行するように構成される請求項75に記載の非一時的プロセッサ読取り可能記憶媒体。
【請求項７７】
前記格納されたプロセッサ実行可能命令語は、
前記第1のネットワーク接続が十分に低下したか否かを決定するステップが、前記第1のネットワークの前記待機されたセルについて算出されたRSSI値をコール失敗しきい値と比較するステップを含むように、前記マルチSIMワイヤレス装置プロセッサが動作を遂行するように構成される請求項76に記載の非一時的プロセッサ読取り可能記憶媒体。
【請求項７８】
前記格納されたプロセッサ実行可能命令語は、前記マルチSIMワイヤレス装置プロセッサが、前記第1のネットワークのセルについて算出されたRSSI値が前記コール失敗しきい値未満であるか否かを決定するステップをさらに含む動作を遂行するように構成される請求項77に記載の非一時的プロセッサ読取り可能記憶媒体。
【請求項７９】
前記格納されたプロセッサ実行可能命令語は、
前記第1のSIMに前記ページング信号を送信するように前記第2のSIMと関連付けられた前記第2のネットワークをトリガーするステップが、
前記算出されたRSSI値がトリガーしきい値未満であるものと決定されることに応じてタイマーを開始するステップと、
前記タイマーが終了されたか否かを決定するステップとを含み、
前記タイマーの終了時、前記第2のSIMと関連付けられた前記第2のネットワークをトリガーするステップが遂行されるように
前記マルチSIMワイヤレス装置プロセッサが動作を遂行するように構成される請求項78に記載の非一時的プロセッサ読取り可能記憶媒体。
【請求項８０】
前記格納されたプロセッサ実行可能命令語は、マルチSIMワイヤレス装置プロセッサが、前記タイマーが作動中であるか否かを決定し前記第1のネットワークの前記セルについて算出されたRSSI値が前記トリガーしきい値未満でないものと決定されることに応じて前記タイマーを取消すステップをさらに含む動作を遂行するように構成される、請求項79に記載の非一時的プロセッサ読取り可能記憶媒体。
【請求項８１】
前記格納されたプロセッサ実行可能命令語は、前記マルチSIMワイヤレス装置プロセッサが、前記トリガーしきい値が前記コール失敗しきい値と等しいように動作を遂行するように構成される、請求項80に記載の非一時的プロセッサ読取り可能記憶媒体。
【請求項８２】
前記格納されたプロセッサ実行可能命令語は、前記マルチSIMワイヤレス装置プロセッサが、前記トリガーしきい値が前記コール失敗しきい値とは独立になるように動作を遂行するように構成される、請求項80に記載の非一時的プロセッサ読取り可能記憶媒体。
【請求項８３】
前記格納されたプロセッサ実行可能命令語は、前記マルチSIMワイヤレス装置プロセッサが、前記タイマーの持続時間が前記マルチSIMワイヤレス装置により受信されたユーザ入力に応じてあらかじめ設定されるように動作を遂行するように構成される、請求項79に記載の非一時的プロセッサ読取り可能記憶媒体。
【請求項８４】
前記格納されたプロセッサ実行可能命令語は、前記マルチSIMワイヤレス装置プロセッサが、前記コール失敗しきい値が前記マルチSIMワイヤレス装置により受信されたユーザ入力に基づいて決定されるように動作を遂行するように構成される、請求項77に記載の非一時的プロセッサ読取り可能記憶媒体。
【請求項８５】
前記格納されたプロセッサ実行可能命令語は、
前記第1のネットワーク接続が十分に低下したか否かを決定するステップが、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
をさらに含むように、
前記マルチSIMワイヤレス装置プロセッサが動作を遂行するように構成される、請求項77に記載の非一時的プロセッサ読取り可能記憶媒体。
【請求項８６】
前記格納されたプロセッサ実行可能命令語は、前記マルチSIMワイヤレス装置プロセッサが、前記第1のアクティブコールが前記第2のネットワークへ伝送されるか否かを決定するステップが前記第2のSIMがアイドル状態であるか否かを決定するステップをさらに含むように動作を遂行するように構成される、請求項85に記載の非一時的プロセッサ読取り可能記憶媒体。
【請求項８７】
前記格納されたプロセッサ実行可能命令語は、
前記第1のアクティブコールが前記第2のネットワークへ伝送されるか否かを決定するステップが、前記第1のネットワーク内の1つまたは複数の隣接するセルから前記マルチSIMワイヤレス装置により十分な信号が受信されるか否かを決定するステップを含み、
前記第1のネットワーク内の1つまたは複数の隣接するセルから前記マルチSIMワイヤレス装置により十分な信号が受信されるものと決定されることに応じて、前記第1のアクティブコールが前記第1のネットワーク上で維持され隣接するセルにハンドオフされるように
前記マルチSIMワイヤレス装置プロセッサが動作を遂行するように構成される請求項73に記載の非一時的プロセッサ読取り可能記憶媒体。
【請求項８８】
前記格納されたプロセッサ実行可能命令語は、前記マルチSIMワイヤレス装置プロセッサが、前記第1のネットワーク接続の無線チャネル状態をモニタリングするステップが前記第1のネットワークの受信された無線信号のキャリアに対する雑音比をモニタリングするステップを含むように動作を遂行するように構成される、請求項75に記載の非一時的プロセッサ読取り可能記憶媒体。
【請求項８９】
前記格納されたプロセッサ実行可能命令語は、前記マルチSIMワイヤレス装置プロセッサが、前記第1のアクティブコールをリリースするステップがExplicit Call Transfer (ECT)付加サービス要求を含むメッセージを前記第1のネットワークのコンポーネントに送信するステップを含むように動作を遂行するように構成される、請求項73に記載の非一時的プロセッサ読取り可能記憶媒体。
【請求項９０】
前記格納されたプロセッサ実行可能命令語は、デュアルSIMデュアルアクティブ(DSDA)ワイヤレス通信装置のプロセッサ上で実行されるように構成される、請求項73に記載の非一時的プロセッサ読取り可能記憶媒体。
【請求項９１】
前記格納されたプロセッサ実行可能命令語は、前記マルチSIMワイヤレス装置プロセッサが、前記第1のネットワークにより実施されるチャネルアクセス方法が前記第2のネットワークにより実施されるチャネルアクセス方法と異なるように動作を遂行するように構成される、請求項73に記載の非一時的プロセッサ読取り可能記憶媒体。
【請求項９２】
前記格納されたプロセッサ実行可能命令語は、前記マルチSIMワイヤレス装置プロセッサが、
前記第1のSIMと前記第2のSIMとの間のコール伝送を無効にするように選択可能なオプションを、ユーザインターフェースを通して提示するステップをさらに含む動作を遂行し、
前記第1のアクティブコールが前記第2のネットワークへ伝送されるか否かを決定するステップが、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持されるように動作を遂行するように、
構成される請求項73に記載の非一時的プロセッサ読取り可能記憶媒体。
【請求項９３】
前記格納されたプロセッサ実行可能命令語は、前記マルチSIMワイヤレス装置プロセッサが、前記第1のSIMと前記第2のSIMとの間のコール伝送を無効にするように選択可能なオプションを、前記ユーザインターフェースを通して提示するステップが、1セットの基準を満たすコールについてのコール伝送を無効にするように選択可能なオプションを提示するステップを含むように動作を遂行するように構成される、請求項92に記載の非一時的プロセッサ読取り可能記憶媒体。
【請求項９４】
前記格納されたプロセッサ実行可能命令語は、前記マルチSIMワイヤレス装置プロセッサが、
前記マルチSIMワイヤレス装置の現在位置を決定するステップと、
前記マルチSIMワイヤレス装置の現在位置に基づいて第1のネットワーク接続が十分に低下するか否かを予測するステップと
をさらに含む動作を遂行するように構成される請求項73に記載の非一時的プロセッサ読取り可能記憶媒体。
【請求項９５】
前記格納されたプロセッサ実行可能命令語は、前記第1のネットワーク接続が十分に低下するか否かを予測するステップが前記第1のネットワークについての低品質受信ゾーンのデータベースにアクセスすることによって遂行されるように前記マルチSIMワイヤレス装置プロセッサが動作を遂行するように構成される、請求項94に記載の非一時的プロセッサ読取り可能記憶媒体。
【請求項９６】
前記格納されたプロセッサ実行可能命令語は、前記第1のネットワーク接続が十分に低下するか否かを予測するステップが前記第1のネットワークを通した前記マルチSIMワイヤレス装置上の以前の通信からの格納された記録を用いて遂行されるように、前記マルチSIMワイヤレス装置プロセッサが動作を遂行するように構成される、請求項94に記載の非一時的プロセッサ読取り可能記憶媒体。
【発明の詳細な説明】
【技術分野】
【０００１】
本発明は、一般的にマルチSIMワイヤレス通信装置に関し、具体的には、マルチSIM機能を用いて、不良な信号強度に起因したコール断絶(call drops)を回避する方法に関する。
【背景技術】
【０００２】
少なくとも1つのワイヤレス装置を含む、音声コールなどの移動電話通信は、特定ネットワークカバレッジが欠如している位置(すなわち、「デッドゾーン」)への進入または高いネットワーク混雑により、日常的に失敗する。コール(特に、緊急コール)の断絶は、電話通話の当事者には不満かつ不便なことになり得る。データ通信セッションの失敗は、コストが多くかかり、ワイヤレス装置のユーザには不便なことになり得る。現在、ワイヤレス装置は、多重通信経路を通したデータ送信を可能にすることはできるが、多重通信経路を通した同時伝送を活用してデータ送信の信頼度を向上させる方法は不足している。
【０００３】
マルチSIMワイヤレス装置は、それらが提供する多用性(特に、サービス提供者の多い国において)のため、最近、人気が増えてきている。たとえば、デュアルSIMスマートフォンは、ユーザが、同一の移動電話において、それぞれ別個の電話番号および料金支払い(たとえば、事業用口座/番号および個人口座/番号)を有する2つの異なるプランまたはサービス提供者を実現し得るようにする。また、旅行中、ユーザは、ローカルSIMカードを獲得して、着信国の市内通話料金を支払うことができる。複数のSIMを用いることによって、ユーザは異なる価格策定プランを利用し、モバイルデータの利用を節約することができる。したがって、デュアルSIMワイヤレス装置は、2つの別個装置を携帯する必要なく、ユーザに2つの電話機を效果的に提供する。
【０００４】
一部のデュアルSIMワイヤレス装置は、スタンバイデュアルSIM機能のみを提供して、ユーザが手動でSIM間の切替えを行う必要があるが、他の新たなデュアルSIMワイヤレス装置は、デュアルSIMデュアルアクティブ(DSDA: dual-SIM dual active)機能を有する。DSDAワイヤレス装置は、両SIMのネットワークと同時アクティブ接続を処理することができる。通常、DSDA装置は、各SIMについて別個の送信/受信チェーン(たとえば、RFトランシーバ)を有する。
【０００５】
一般的な移動通信において、進行中のコールまたはデータセッションを有するモバイル装置(DSDA装置を含む)が異なるセルによりカバーされる位置に移動すると、装置が第1のセルゾーンの範囲から外れて移動するに従って信号が不良になることを回避するために、コールまたはデータセッションの他のセルへのハンドオーバーが発生する。しかしながら、ハンドオーバーのためのより良いセルが利用可能でない場合、信号状態が最小持続可能リンク未満に低下すると、コールは断絶される。このコール失敗は、コストが多くかかり、ワイヤレス装置のユーザに不便なことになり得る。
【発明の概要】
【発明が解決しようとする課題】
【０００６】
DSDA装置上で、第2のSIMと関連付けられたネットワークについて強い無線信号が存在できても、従来のDSDA装置は第2のネットワークのリソースを利用してコールまたはデータセッションを持続することはできない。
【課題を解決するための手段】
【０００７】
様々な実施形態は、コールの両端のユーザが措置を取ることを要求することなく、2つのSIMをベースとしたサブスクリプションにより支援される2つのネットワーク間のシームレスコール切替えを可能にすることで、マルチSIMワイヤレス装置でのワイヤレス通信の品質を維持するための方法を提供する。第1のネットワーク上でマルチSIMワイヤレス装置に第3者装置との第1のアクティブコールが確立され、マルチSIMワイヤレス装置のうち第2のSIMが第2のネットワークのセル上に待機される場合、必要であれば、コールが第1のネットワークから第2のネットワークに切り替えられてコールを維持し得る(すなわち、第1のネットワークへのセルラー接続が切れようとする)。実施形態の方法は、第1のアクティブコールが切れようとするもの(すなわち、利用可能なネットワーク内のハンドオーバーなしにセルカバレッジを離れるもの)と決定されることに応じて、第1のSIMに対応する第1のネットワーク、第2のSIMに対応する第2のネットワーク、および第3者装置間の多者会議コールを確立するステップを含む。多者会議コールが確立される場合、方法は、多者会議コールが第2のSIMに対応する第2のネットワークと第3者装置との間の新たなアクティブコールになるように、第1のアクティブコールをリリースするステップをさらに含む。
【０００８】
一実施形態において、多者会議コールを確立するステップは、第2のSIMに対応する第2のネットワークをトリガーして第1のSIMに対応する第1のネットワークにページング信号を送信するステップ、第1のアクティブコールを待機状態にするステップ、第2のSIMに対応する第2のネットワークからのページング信号に応答して、第1のSIMと第2のSIMとの間に第2のアクティブコールを確立するステップ、および第1のアクティブコールを検索するステップを含むことができる。一実施形態において、第1のアクティブコールが第2のネットワークへ伝送されるか否かを決定するステップは、モバイル装置がマルチSIMワイヤレス装置での第1のネットワーク接続の無線チャネル状態をモニタリングするステップ、第1のネットワーク接続の無線チャネル状態に基づいて第1のネットワーク接続が十分に低下したか否かを決定するステップ、および第1のネットワーク内にハンドオフセルまたはネットワーク接続があるか否かを決定するステップを含む。モバイル装置が、第1のネットワークへの接続が切れようとしネットワーク内にハンドオフのための機会がないものと決定すると、モバイル装置は、第1のネットワーク接続が十分に低下したとき、第1のアクティブコールを第2のネットワークへ伝送するための実施形態の方法を開始することができる。
【０００９】
一実施形態において、第1のネットワーク状態の無線チャネル状態をモニタリングするステップは、第1のネットワークの待機されたセルの無線チャネルについての受信信号強度をモニタリングするステップ、および第1のネットワークの待機されたセルについての受信信号強度インジケータ(RSSI: received signal strength indicator)値を算出するステップを含むことができる。別の実施形態において、第1のネットワーク接続が十分に低下したか否かを決定するステップは、第1のネットワークの待機されたセルについて算出されたRSSI値をコール失敗しきい値と比較するステップを含むことができる。別の実施形態において、第1のネットワーク接続が十分に低下したか否かを決定するステップは、第1のネットワークの待機されたセルについて算出されたRSSI値を低品質受信ゾーンのデータベースと比較するステップを含むことができる。別の実施形態において、低品質受信ゾーンのデータベースは、過去ユーザ履歴の格納された記録および/またはネットワークのデータベース記録に基づいて確立され得る。
【００１０】
別の実施形態において、第2のSIMに対応する第2のネットワークをトリガーして第1のSIMに対応する第1のネットワークにページング信号を送信するステップは、算出されたRSSI値がコール失敗しきい値未満であるものと決定されることに応じてタイマーを開始するステップ、およびタイマーが終了されたか否かを決定するステップを含み、この場合、タイマーの終了時、第2のSIMに対応する第2のネットワークがトリガーするステップが実行される。別の実施形態において、方法は、タイマーが作動中であるか否かを決定し、第1のネットワークのセルについて算出されたRSSI値がトリガーしきい値未満でないものと決定されることに応じてタイマーを取消すステップをさらに含むことができる。別の実施形態において、タイマーの持続時間は、マルチSIMワイヤレス装置により受信されたユーザ入力を通してあらかじめ設定され得る。別の実施形態において、コール失敗しきい値は、マルチSIMワイヤレス装置により受信されたユーザ入力に基づいて決定され得る。別の実施形態において、第1のネットワーク接続が十分に低下したか否かを決定するステップは、第2のネットワークの待機されたセルについての受信信号強度をモニタリングするステップ、第2のネットワークの待機されたセルの無線チャネルについてのRSSI値を算出するステップ、および第1および第2のネットワークの待機されたセルについて算出されたRSSI値を比較するステップをさらに含むことができる。
【００１１】
本明細書に含まれ、その一部を構成する添付図面は、本発明の実施形態を例示し、前述の一般的な説明および以下の詳細な説明とともに本発明の特徴について説明する。
【図面の簡単な説明】
【００１２】
【図１】様々な実施形態における使用に適したワイヤレス通信システムの通信システムブロック図である。
【図２Ａ】一実施形態によるデュアルSIMワイヤレス通信装置を例示するブロック図である。
【図２Ｂ】一実施形態によるデュアルSIMワイヤレス通信装置を例示するブロック図である。
【図３Ａ】第3者装置とのコールが第1のネットワークから第2のネットワークへ伝送されるべきか否かを決定するための実施形態の方法を例示する処理フローチャートである。
【図３Ｂ】第3者装置とのコールが第1のネットワークから第2のネットワークへ伝送されるべきか否かを決定するための実施形態の方法を例示する処理フローチャートである。
【図４】第3者とのコールを第1のネットワークから第2のネットワークへ伝送するための実施形態の方法を例示する処理フローチャートである。
【図５】アクティブコールを管理し、アクティブコールを異なるネットワークに伝送するための、第1および第2のサブスクリプション、ならびに第1および第2のネットワークのコンポーネントと関連付けられたプロトコルスタックについての通信管理(CM: communications management)サブ階層のメッセージフローチャートである。
【図６】様々な実施形態における使用に適した他の例示的なモバイル装置のコンポーネント図である。
【図７】様々な実施形態における使用に適した他の例示的なモバイル装置のコンポーネント図である。
【図８】様々な実施形態における使用に適した例示的なサーバのコンポーネント図である。
【発明を実施するための形態】
【００１３】
添付図面を参照して様々な実施形態が説明される。可能な場合、同一または類似の部分を示すために、図面の全般にわたって同一の参照番号が使用される。特定例および実装形態についての参照は、例示を目的とするものであり、本発明の範囲または特許請求の範囲を限定しようとするものではない。
【００１４】
本明細書で用いられる「例示的な」という用語は、「例、事例、または例示の役割をする」ことを意味する。本明細書で「例示的な」ものとして説明されるいずれの実装形態も、必ずしも他の実装形態に比して好適または有利なものとして解釈されるものではない。
【００１５】
本明細書で互換して用いられる「ワイヤレス装置」および「ワイヤレス通信装置」という用語は、セルラー電話機、スマートフォン、パーソナルまたはモバイルマルチメディアプレイヤー、パーソナルデータアシスタント(PDA)、ラップトップコンピュータ、タブレットコンピュータ、スマートブック、パームトップコンピュータ、ワイヤレス電子メール受信機、マルチメディアインターネット対応型セルラー電話機、ワイヤレスゲーミングコントローラ、およびワイヤレス通信経路を確立しワイヤレス通信経路を経由してデータを送信/受信するためのプログラム可能型プロセッサ、メモリおよび回路を含む類似したパーソナル電子装置のいずれか1つまたは全部を示す。
【００１６】
本明細書で用いられたように、「SIM」、「SIMカード」および「加入者識別モジュール」という用語は、国際移動通信加入者識別(IMSI)、関連されたキー、および/またはネットワーク上のワイヤレス装置を識別および/または認証するために利用される他の情報を格納し着脱式カードに組み込まれた集積回路を意味するように互換して用いられる。「SIM」という用語はまた、SIMに格納された情報が、ワイヤレス装置が特定ネットワークとの通信リンクを確立してSIMと通信ネットワークとが互いに相関されるようにすることを可能にするので、特定SIMと関連付けられた通信ネットワークについての略称として用いられ得る。
【００１７】
本明細書で用いられた「マルチSIM装置」、「マルチSIMワイヤレス装置」、「デュアルSIM装置」、「デュアルSIMデュアルアクティブ装置」および「DSDA装置」という用語は、1つよりも多いSIMで構成され、両サブスクリプションのネットワークとの通信を独立的にハンドリングし得るワイヤレス装置を示すように互換して用いられる。
【００１８】
様々な実施形態は、マルチSIM装置の同時通信機能を利用してアクティブコールまたはデータセッションの品質を向上させる。様々な実施形態において、マルチSIM装置は、異なるSIMと関連付けられたネットワーク間でアクティブコールを切り替えて、ネットワーク状態が低下する際にアクティブコールが断絶することを回避することができる。
【００１９】
一実施形態において、デュアルSIMデュアルアクティブ(DSDA: dual-SIM dual-active)装置は、現在の信号強度状態またはリンク品質に基づいて第1のネットワークの不良な信号品質を検出することができる。たとえば、DSDA装置は、一方または両方のネットワーク上の受信信号強度インジケータ(RSSI: Received Signal Strength Indicator)値を周期的に測定し得る。別の実施形態において、DSDA装置は、不良な品質セルゾーンに進入しようとすることを予測するための手続きに利用することができる。このような低品質セルゾーンへの進入を予測することは、低品質受信ゾーンのデータベースと比較され得るワイヤレス装置の位置、方向、および速度に基づくことができる。ワイヤレスデッドゾーンの位置は、過去ユーザ履歴の格納された記録および/またはネットワークのデータベース記録に基づいて確立され得る。
【００２０】
第1のネットワークの信号またはリンク状態が低下するか、または第1のネットワークが不良な品質信号領域への進入を予測すると、DSDA装置は、他の近隣のタワー(たとえば、DSDAの現在位置により近いタワー)へのアクティブ通信のハンドオフを遂行することを試みることができる。しかしながら、そのようなハンドオフが可能でなければ(すなわち、DSDAがいずれの近隣のタワーからも十分な信号を受信していなければ)、第2のSIMと関連付けられたネットワークが通信のための強い信号を提供しても、通信は正常な環境で断絶され得る。様々な実施形態は、通信が第1のネットワークの不良な信号状態に起因して断絶されずに継続され得るように、デュアルSIM装置でのアクティブ通信を第1のSIMと関連付けられた第1のネットワークから第2のSIMと関連付けられた第2のネットワークへ伝送する方法について説明する。
【００２１】
様々な実施形態において、ネットワーク状態の低下時、マルチSIM装置はオリジナルネットワークおよびアイドルSIMと関連付けられた第2のネットワークの両方を通して被呼者(called party)への会議コールをアクティブにすることができる。マルチSIM装置は、コールを第2のネットワークへ伝送しオリジナルネットワークを通してコールをリリースして、コール断絶を防止することができる。したがって、様々な実施形態は、マルチSIMワイヤレス装置のリソースの効率的な使用を提供して最適なユーザ経験を達成することができる。また、様々な実施形態は、様々な環境での有用性(たとえば、緊急コールのコール断絶を回避するために)を提供することができる。
【００２２】
様々な実施形態において、各SIMは、DSDA装置の異なる送信/受信チェーンおよび/または異なるワイヤレス通信プロトコルを用いて、ネットワークを通した通信を可能にすることができる。様々な実施形態において、マルチSIMワイヤレス装置は、各SIMが独立した無線送信/受信チェーン(たとえば、独立したRFトランシーバ)と関連付けられるDSDA装置であることができる。
【００２３】
様々な実施形態の方法は、SIMと関連付けられたネットワーク上の弱い信号状態で利用され得る。本明細書で用いられた「第1の」および「第2の」という用語は、様々な実施形態におけるコール切替え手続きのためのSIMおよび関連付けられたネットワークについて説明するために用いられる一方、そのような識別子は便宜のためのものであるだけで、様々な実施形態を特定の順序、シーケンス、ネットワークの種類またはキャリアに限定するものではない。
【００２４】
様々な実施形態において、オーディオキャプチャーは、ワイヤレス装置のマイクロホンを通してオーディオ入力を受信すること、オーディオ入力の伝送を準備すること、および受信されたデータをワイヤレス装置のスピーカーを通してオーディオ出力に変換することを含むことができる。様々な実施形態において、コールは、ワイヤレス装置および/またはサーバ間で交換されるオーディオデータの連続したストリームを含むことができる。例示的な実施形態は、オーディオコール(すなわち、音声コール)のうちのデータのストリームを送信および受信するために遂行される動作に関して説明されるが、様々な実施形態の方法は、ビデオコール(すなわち、オーディオおよびビデオコール、またはビデオのみのコール)を送信および受信するために実行されることもできる。例示的な実施形態は、2つのSIMと関連付けられたネットワーク間のコールを切り替える動作に関して説明されるが、追加的なSIMおよびネットワーク接続がマルチSIMワイヤレス装置内で可能となり得る。
【００２５】
図1は、様々な実施形態で使用するのに適したワイヤレスネットワークシステム100を例示する。ワイヤレス装置102、104は1つまたは複数の無線アクセスネットワークのセルタワーまたはと基地局のワイヤレス接続を確立するように構成され得る。たとえば、ワイヤレス装置102、104は、公知のように、ネットワーク110の一部であることができる基地局106、108を用いてデータを送信/受信することができる。ワイヤレス装置102は、異なるネットワーク114の一部であることができる基地局112を通してデータを送信/受信するようにさらに構成されることもできる。
【００２６】
ワイヤレスネットワーク110、114は、セルラーデータネットワークであることができ、Frequency Division Multiple Access (FDMA)、Time Division Multiple Access (TDMA)、Code Division Multiple Access (CDMA)、Universal Mobile Telecommunications Systems (UMTS) (特に、Long Term Evolution (LTE))、Global System for Mobile Communications (GSM(登録商標))、Wi-Fi、PCS、G-3、G-4、またはワイヤレス通信ネットワークまたはデータ通信ネットワークで利用され得る他のプロトコルを含む(しかしながら、これらに限定されるものではない)チャネルアクセス方法を用いることができる。ネットワーク110、114は、同一または異なるワイヤレスインターフェースおよび/または物理階層を用いることができる。一実施形態において、基地局106、108、112は、1つまたは複数の基地局コントローラ(BSC: base station controller)116、118により制御され得る。たとえば、公知のように、基地局106、108、BSC116、および他のコンポーネントはネットワーク110を形成することができる。代案のネットワーク構成も用いられ得、実施形態は例示の構成に限定されるものではない。たとえば、別の実施形態において、BSC116および基地局106、108のうち少なくとも1つの機能は、これらコンポーネントの機能を有する単一の「ハイブリッド」モジュールに含まれることができる。
【００２７】
様々な実施形態において、ワイヤレス装置102は、基地局106、112により管理されるセルで待機した後、コアネットワーク120、122に同時にアクセスすることができる。また、ワイヤレス装置102は、インターネットに接続できるWi-Fiアクセスポイントとの接続を確立することができる。様々な実施形態は、ワイヤレスネットワークについて特に有用であるが、実施形態はワイヤレスネットワークに限定されるものではなく、方法についての変更なしに有線ネットワークを通しても実施され得る。
【００２８】
ワイヤレスネットワークシステム100において、ワイヤレス装置102は複数のSIMで動作できるマルチSIM装置であることができる。たとえば、ワイヤレス装置102は、デュアルSIM装置であることができる。デュアルSIM機能を用いて、ワイヤレス装置102は基地局106、112により管理されるセルに待機することによって、2つのコアネットワーク120、122に同時にアクセスできる。コアネットワーク120、122は、public switched telephone network (PSTN) 124により相互接続することができ、コアネットワーク120、122はPSTN124を通して各種インカミングとアウトゴーイング通信をワイヤレス装置102に送ることができる。
【００２９】
ワイヤレス装置102は、SIMのうちの1つを用いて、ワイヤレス装置104などの第3者装置への音声またはデータコールを作ることができる。また、ワイヤレス装置102は第3者から音声コールまたは他のデータ送信を受信することができる。第3者装置(たとえば、ワイヤレス装置104)は、移動電話、ラップトップコンピュータ、PDA、サーバなどを含むが、これらに限定されない、様々な装置のいずれか1つであることができる。
【００３０】
様々な実施形態のSIMは、SIMおよび/またはユーSIMアプリケーションで構成され、GSM(登録商標)および/またはUMTSネットワークへのアクセスを可能にするUniversal Integrated Circuit Card (UICC)であることができる。また、UICCは、フォンブックおよび他のアプリケーションのためのストレージを提供することができる。また、CDMAネットワークで、SIMは、UICC着脱式のユーザ識別モジュール(R-UIM)またはCDMA subscriber identity module (CSIM)であることができる。
【００３１】
各SIMカードは、CPU、ROM、RAM、EEPROMおよびI/O回路を有することができる。様々な実施形態において用いられるSIMカードは、ユーザ計定情報、国際移動通信加入者識別(IMSI)、1セットのSIM application toolkit (SAT)コマンドおよびフォンブックコンタクトのための格納空間を含むことができる。ベースバンドチップのマイクロプロセッサ(MCU: micro-processing unit)は、SIMカードのMCUと相互作用してワイヤレス装置に設けられたSIMカードからデータまたはSATコマンドを検索することができる。ワイヤレス装置は、SIMカードにプラグインされた後、直ちにプログラムされ得る。また、SIMカードは、個人化されたサービスのためのカスタムメニューをディスプレイするようにプログラムされ得る。SIMカードは、SIMカードネットワークオペレーター提供者を示すHome Public-Land-Mobile-Network(HPLMN)コードをさらに格納することができる。SIMカード上には識別のためにIntegrated Circuit Card Identity (ICCID) SIMシリアル番号がプリントされている。
【００３２】
図2Ａは、様々な実施形態を実施するのに適したマルチSIMワイヤレス装置102の機能ブロック図である。ワイヤレス装置200は、少なくとも1つのメモリ204に連結され得る汎用プロセッサ202のような少なくとも1つのコントローラを含むことができる。メモリ204は、たとえば、オペレーションシステム(OS)およびユーザアプリケーションソフトウェアを格納することができる。ワイヤレス装置200は、ベースバンド/モデム機能を遂行するベースバンドプロセッサ206をさらに含むことができる。ベースバンドプロセッサ206は、すべてのSIMについてのベースバンド/モデム機能を遂行する単一の装置であるか、それぞれがワイヤレス装置200のSIMのうちの1つの機能を遂行する複数の独立したベースバンドプロセッサ(たとえば、BB1、BB2)であることができる。少なくとも2つのSIM208a、208bは、SIMインターフェース210a、210bを通して少なくとも1つのベースバンドプロセッサ206と論理的に接続され得る。
【００３３】
ワイヤレス装置200はまた、ベースバンドプロセッサ206および少なくとも1つのアンテナ214と論理的に接続されるRFトランシーバ212を含むことができる。RFトランシーバ212は、すべてのSIMについての送信/受信機能を遂行する単一の装置であるか、それぞれがワイヤレス装置200の1つのSIMについての送信/受信機能を遂行する複数の独立したRFトランシーバ(たとえば、RF1、RF2)であることができる。
【００３４】
特定の実施形態において、汎用プロセッサ202、メモリ204、およびベースバンドプロセッサ206は、システムオンチップ装置216に含まれることができる。第1および第2のSIM208a、208bおよびそれらの対応するインターフェース210a、210bは、システムオンチップ装置216の外部にあり得る。また、様々な入力および出力装置が、インターフェースまたはコントローラなどのシステムオンチップ装置216のコンポーネントに連結され得る。
【００３５】
ワイヤレス装置200での使用に適した例示的なユーザ入力コンポーネントは、図2Ｂに示されたキーパッド222、タッチスクリーンディスプレイ224、マイクロホン226などを含むことができるが、これらに限定されるものではない。一実施形態において、キーパッド222、タッチスクリーンディスプレイ224、マイクロホン226またはこれらの組合せは、アウトゴーイングコールを開始するための要求を受信する機能を遂行することができる。たとえば、タッチスクリーンディスプレイ224は、コンタクトリストからのコンタクトの選択を受信したり電話番号を受信することができる。別の例において、タッチスクリーンディスプレイ224およびマイクロホン226のいずれか1つまたは両方がアウトゴーイングコールを開始するための要求を受信する機能を遂行することができる。たとえば、タッチスクリーンディスプレイ224はコンタクトリストからのコンタクトの選択を受信したり電話番号を受信することができる。別の例として、アウトゴーイングコールを開始するための要求は、マイクロホン226を通して受信された音声コマンドの形態であることができる。公知のように、ワイヤレス装置200内の様々なソフトウェアモジュールおよび機能間にインターフェースが提供され、それらの間の通信を可能にすることができる。
【００３６】
図2Bを参照すると、ワイヤレス装置200は、SIMと関連付けられたアクセスネットワークを通して通信するために階層化ソフトウェアアーキテクチャ250を有することができる。ソフトウェアアーキテクチャ250は、ベースバンドプロセッサ206などの1つまたは複数のプロセッサの間に分散され得る。様々な実施形態において、マルチSIM装置のためのソフトウェアアーキテクチャ250は、それぞれが異なるSIMと関連付けられ得る複数のプロトコルスタックを有することができる。たとえば、ワイヤレス装置200は、SIM208a、208bと関連付けられたプロトコルスタック252a、252bで構成され得る。プロトコルスタック252a、252bは、ワイヤレス通信のための様々な標準およびプロトコルのいずれかを支援することができる。
【００３７】
プロトコルスタック252a、252bの下部階層は、無線インターフェースを通した接続を確立しワイヤレス装置200のためのネットワークリソースを管理する物理階層254a、254bであることができる。物理階層254a、254bの上には、ネットワーク内の物理リンクを通してインカミングおよび出力データを処理する機能を提供し得るデータリンク階層256a、256bが存在できる。たとえば、データリンク階層256a、256bは、出力データをデータフレームに分割し、インカミングデータを分析してインカミングデータが成功的に受信されたことを確認することができる。一実施形態において、各データリンク階層256a、256bは、様々なサブ階層(たとえば、メディアアクセスコントロール(MAC)およびロジカルリンクコントロール(LLC)階層)を含むことができる。
【００３８】
データリンク階層256a、256bの上には、ワイヤレス装置200とネットワークとの間に無線チャネルを割り当てリンクを確立することを含む機能を遂行し得るネットワーク階層258a、258bが常駐できる。一実施形態において、各ネットワーク階層256a、256bは、1つまたは複数のサブ階層(図示しない)に区画され得る。一実施形態において、ネットワーク階層256a、256bのサブ階層は、コールのルーティング、サービス類型の選択、データの優先順位決定、QoS機能の遂行などのための接続管理(CM: connection management)サブ階層であることができる。
【００３９】
プロトコルスタック252a、252bは物理的媒体を通してデータを送信する機能を提供する一方、ソフトウェアアーキテクチャ250は少なくとも1つのホスト階層262をさらに含み、ワイヤレス装置200内の各種アプリケーションに対してデータ伝送サービスを提供することができる。一実施形態において、少なくとも1つのホスト階層262により提供されるアプリケーション特定機能は、プロトコルスタック252a、252bと汎用プロセッサ202との間のインターフェースを提供することができる。代案の実施形態において、プロトコルスタック252a、252bはそれぞれ、ホスト階層機能を提供する1つまたは複数の上位論理階層(たとえば、トランスポート、セッション、プレゼンテーション、アプリケーションなど)を含むことができる。一実施形態において、ソフトウェアアーキテクチャ250は、物理階層254a、254bと通信ハードウェア(たとえば、1つまたは複数のRFトランシーバ)との間のハードウェアインターフェース264をさらに含むことができる。
【００４０】
様々な実施形態において、ワイヤレス装置200などのマルチSIM装置は、オンゴーイングコールまたはデータセッションのネットワーク状態に基づいて、コールまたはデータセッションが異なるSIMと関連付けられた異なるネットワークへ伝送されるべきか否かを決定することができる。様々な実施形態において、この決定は、トリガーイベントが発生したか否かの決定であることができる。
【００４１】
一実施形態において、トリガーイベントは、通信リンクでの不良または低下した信号品質の検出であることができる。トリガーイベントは、オンゴーイング通信について現在活性であるネットワーク接続の信号強度を評価することを含む複数のステップの結果として発生または認識され得る。たとえば、ワイヤレス装置のプロセッサは、ネットワークの信号状態をモニタリングしてコール品質がしきい値未満に落ちたか否かを決定することができる。様々な実施形態において、「信号強度」、「ネットワーク信号強度」および「無線チャネル状態」はいずれも、通信が確立されている無線チャネルでの信号の相対的強度を示す測定値を意味することができる。様々な実施形態において、信号強度の測定値は、受信無線信号強度インジケータ(RSSI)値、キャリアに対する雑音比の値などを含むことができる。
【００４２】
一実施形態において、ワイヤレス装置は、コールまたはデータセッションが活性であるネットワークについての現在の受信信号強度インジケータ(RSSI)値をモニタリングし、これらの値をあらかじめ定められたしきい値(すなわち、コール失敗しきい値)と比較することができる。一実施形態において、RSSI値は内部オーディオ-デジタル変換器によりサンプリングでき、その結果はワイヤレス装置のプロセッサが利用可能である。代案の実施形態において、トリガーイベントは、ワイヤレス装置が制限されたセルラーカバレッジ領域または低いコール品質ゾーン(すなわち、デッドゾーン)にすぐ進入できるか接近中であるという予測であることができる。例として、ワイヤレス装置は、GPSセンサおよび加速度計の様々なセンサで構成され、ワイヤレス装置について可能性のある移動経路を決定することができる。一実施形態において、ワイヤレス装置のプロセッサは、可能性のある移動経路をセルラーカバレッジマップと比較して、ワイヤレス装置が制限されたセルラーカバレッジ領域またはデッドゾーンに進入するかまたは接近中であるかどうかを予測することができ、ワイヤレス装置が制限されたセルラーカバレッジ領域またはデッドゾーンに接近中であるという予測は、トリガーイベントとなり得る。類似した実施形態において、ワイヤレス装置のユーザは、不良品質領域として特定領域を事前に指定した可能性もある。可能性のある移動経路に基づいた、ワイヤレス装置が不良信号強度領域に接近中であるという予測は、トリガーイベントであることができる。
【００４３】
図3Ａは、アクティブ通信を第1のネットワークから第2のネットワークへ伝送する必要性を評価するための実施形態の方法300を例示する。方法300の動作は、図2を参照して、上述したワイヤレス装置200内のベースバンドプロセッサ206などのデュアルSIM装置の1つまたは複数のプロセッサにより実施され得る。ブロック302で、ワイヤレス装置は第1のSIMを用いて第1のネットワークに登録し、第2のSIMを用いて第2のネットワークに登録することができる。これは、始動の際、SIMに含まれており特定キャリアに依存して変化し得る登録パラメータを用いて遂行され得る。ブロック304で、第1のネットワークを通してワイヤレス装置と第3者装置との間にアクティブワイヤレス通信が確立され得る。たとえば、ワイヤレス装置ユーザが第3者の電話番号をダイヤルすることによってmobile-originating (MO)コールが開始され得る。別の例において、ワイヤレス装置は、第1のSIMと関連付けられたMSISDNをダイヤルする第3者装置からのmobile-terminating (MT)コールを受信することができる。ワイヤレス装置は、第1のネットワークを通して第3者装置へ/からオーディオデータの連続したストリーム(たとえば、電話対話)を送信/受信することができる。
【００４４】
ブロック306で、ワイヤレス装置は、第1のネットワークの無線チャネル状態などの現在のネットワーク状態を受信またはモニタリングすることができる。一実施形態において、現在の無線チャネル状態は、内部オーディオ-デジタル変換器によりサンプリングされた現在の受信信号強度インジケータ(RSSI)値を含むことができる。決定ブロック308で、ワイヤレス装置は第1のネットワークについての無線チャネル失敗条件が満たされたか否かを決定することができる。一実施形態において、無線チャネル失敗条件は、たとえば、あらかじめ定められたしきい値の未満である現在のRSSIおよび/またはキャリアに対する雑音比であることができる(たとえば、RSSI<-100db)。
【００４５】
ワイヤレス装置が無線チャネル失敗条件は満たされていないもの(すなわち、決定ブロック308=「No」)と決定すると、ワイヤレス装置は第1のネットワーク上で確立された音声コールまたはデータセッションの送信/受信を継続することができる(ブロック310)。無線チャネル失敗条件が満たされると(すなわち、決定ブロック308=「Yes」)、ワイヤレス装置はアクティブコールまたはデータセッションが異なるセルチャネルを用いて継続され得るか否かを決定する(決定ブロック312)。たとえば、ワイヤレス装置がオンゴーイング通信中位置を移動したならば、第1のネットワークの1つまたは複数の隣接するセルの範囲内にあることができる。ワイヤレス装置が、通信を継続するために異なるセルチャネルが利用可能であるものと決定すると(すなわち、決定ブロック312=「Yes」)、ワイヤレス装置はネットワークに信号を送信して該当セルと関連付けられた基地局へのハンドオーバーが遂行されるようにし、第1のネットワーク上でのアクティブコールまたはデータセッションを継続することができる(ブロック310)。ワイヤレス装置が、利用可能な他のセルがないものと決定すると(すなわち、決定ブロック312=「No」)、ワイヤレス装置は、第2のネットワークと関連付けられた装置内の第2のSIMがアイドル状態であるか否かを決定することができる(決定ブロック314)。
【００４６】
ワイヤレス装置が、第2のSIMがアイドル状態でないものと決定すると(すなわち、決定ブロック314=「No」)、ワイヤレス装置は第1のネットワーク上で確立された音声コールまたはデータセッションの送信/受信を継続することができる(ブロック310)。ワイヤレス装置が、第2のSIMがアイドル状態(第2のSIMと関連付けられた送信/受信チェーンが音声またはデータコールに能動的に関与しないことを示す)であるものと決定すると(すなわち、決定ブロック314=「Yes」)、ワイヤレス装置は第2のネットワークの信号状態(たとえば、無線チャネル状態)をテストすることができる(ブロック316)。たとえば、ワイヤレス装置は、オーディオ-デジタル変換器が第2のネットワークとのテスト接続のRSSI値を測定するように誘導でき、この値はワイヤレス装置が利用可能となり得る。決定ブロック318で、ワイヤレス装置は第2のネットワークについての現在の無線チャネル状態が適切であるか否かを決定することができる。たとえば、ワイヤレス装置は、上述された第1のネットワーク上の無線チャネル状態についての決定と同一の方式で、第2のネットワーク接続について無線チャネル失敗条件が満たされるか否かを決定することができる。無線チャネル失敗条件は、たとえば現在のRSSI値がしきい値未満に落ちることであることができる(たとえば、RSSI<-100db)。第2のネットワーク接続についての無線チャネル状態が適切であるか否かの決定は、決定ブロック308に関して上述した第1のネットワークについての決定と同様に、無線チャネル失敗条件が満たされるか否かを決定することによって実施され得る。代案として、第2のネットワークについての現在の無線チャネル状態は、第1のネットワークの無線チャネル状態と比較され得、第1のネットワークよりも良好であれば適切なものであることができる。ワイヤレス装置が第2のネットワークについての無線チャネル状態が適切でないものと決定すると(すなわち、決定ブロック316=「No」)、ワイヤレス装置は第1のネットワークを通したアクティブコールまたはデータセッションを継続することができる。ワイヤレス装置が第2のネットワークについての無線チャネル状態が適切であるものと決定すると(すなわち、決定ブロック316=「No」)、ワイヤレス装置はアクティブコールまたはデータセッションを第2のネットワークへ伝送するよう進むことができ、これは、以下に図4を参照して説明される。
【００４７】
別の実施形態において、コール失敗しきい値未満である現在の無線チャネル状態は、タイマーの利用をトリガーして適切な応答に影響を及ぼすことができる。図3Bは、アクティブコールまたはデータセッションを第2のネットワークへ伝送するか否かを決定するための代案の実施形態の方法350を図示する。方法350は、図3Aの方法300と類似しており、第2のネットワークへの伝送ステップをトリガーするためのタイマーが追加される。方法350で、ワイヤレス装置は決定ブロック352でトリガーしきい値が満たされるか否かを決定することができる。トリガーしきい値は、たとえば、特定のRSSI値であることができ、図3Aの決定ブロック308での無線チャネル失敗条件と同一または異なることができる。ワイヤレス装置がトリガーしきい値が満たされるものと決定すると(すなわち、決定ブロック352=「Yes」)、ブロック354でワイヤレス装置は伝送タイマーを開始することができる。ワイヤレス装置は、図3Aに関する上述と同一の方式で決定ブロック308〜316へ進めることができると決定する。ワイヤレス装置が第2のネットワークについての現在の無線チャネル状態が適切であるものと決定すると(すなわち、決定ブロック318=「Yes」)、ワイヤレス装置は決定ブロック354で伝送タイマーが終了したか否かを決定するためのループ内に進めることができる。ワイヤレス装置が伝送タイマーは終了していないものと決定すると、ワイヤレス装置は決定ブロック354のループを継続することができる。ワイヤレス装置が伝送タイマーは終了したものと決定すると(すなわち、決定ブロック356=「Yes」)、ワイヤレス装置はアクティブコールまたはデータセッションを第1のネットワークから第2のネットワークへ伝送するように進めることができる。
【００４８】
様々な実施形態において、ワイヤレス装置は1つまたは複数のユーザ構成可能なオプションを有することができる。たとえば、ワイヤレス装置はユーザ入力を受信してSIM間のコール伝送を無効にするように構成され得る。一実施形態において、ワイヤレス装置は、ユーザにより確立された1セットの基準に符合する(または符合しない)コールについてユーザがSIM間のコール伝送を無効にするようにできる。別の実施形態において、ワイヤレス装置はユーザがコール単位でコール伝送手続きをアクティブにするか、または無効にすることを選択するようにしてデフォルト設定をオーバーライドすることができる。たとえば、ユーザがデフォルト設定としてSIM間のコール伝送を無効にした場合、ワイヤレス装置はユーザが特定コールについてコール伝送をアクティブにすることができる。同様に、デフォルト設定としてコール伝送がイネーブルされる場合、ユーザは特定コールについてコール伝送手続きを取消すことができる。一実施形態において、デフォルト動作(たとえば、異なるSIMへのコール伝送を開始またはスキップすること)を遂行する前に、ワイヤレス装置はユーザにアクティブコールが伝送されるべきことを知らせることができる。そのような警告は、たとえば、ユーザインターフェースを通して出力される視覚的または聴覚的な知らせを含むことができ、ユーザインターフェースはユーザの入力を受信してコール伝送をイネーブルまたは無効にすることができる。付加的にまたは代案的に、そのような警告はアクティブコール内のイン-バンドオーディオトーンを含むことができる。
【００４９】
図4は、第1のネットワークおよびSIMでのアクティブ通信を第2のネットワークおよびSIMへ伝送するための実施形態の方法400を例示する。図3Aまたは図3Bにおけるステップの結果として、ワイヤレス装置は第3者装置とのオンゴーイングコールが第2のネットワークへ伝送されなければならないものと決定できる。上述したように、ベースバンドプロセッサまたは多数のベースバンドプロセッサは、各SIMについてのプロトコルスタックを含むモデムソフトウェアを実行することができる。当業者が理解するように、「第1のSIMスタックプロセッサ」および「第2のSIMスタックプロセッサ」という用語はそれぞれのSIMとの関係を示すための機能的なものであるだけで、この構成要素を何らかの特定のハードウェアまたはソフトウェアの実装形態に限定しようとするものではない。
【００５０】
ブロック402で、第1のSIMスタックプロセッサは第2のSIMスタックプロセッサに内部信号を送信して、第2のSIMスタックプロセッサが第1のSIMと関連付けられたMSISDN(「MSISDN1」)に音声コールのためのページング信号を送信させることができる。当業者が理解するように、第1および第2としてSIMスタックプロセッサを指定することは機能に基づくものであるだけで、この構成要素を何らかの特定ハードウェアまたはソフトウェアの実装形態に限定しようとするものではない。
【００５１】
ブロック404で、第1のSIMスタックプロセッサは第2のSIMと関連付けられたMSISDN(「MSISDN2」)からMTコールのためのページング信号を受信することができる。ブロック406で、ワイヤレス装置は第3者装置とのコールを待機状態にすることができる。ブロック408で、第1のSIMスタックプロセッサは第2のSIMからインカミングコールをアクセプトすることができる(たとえば、第2のSIMスタックプロセッサにセットアップメッセージを送信してMSISDN2とのコールを確立させることで)。ブロック410で、第1のSIMスタックプロセッサは第3者装置とのコールを検索することができ、その後、ブロック412で第1のSIMに対応する第1のネットワークを通したワイヤレス装置、第3者装置(第1のネットワーク上の)および第2のSIMに対応する第2のネットワークを通したワイヤレス装置(第2のネットワーク上の)間の会議コールが確立され得る。ブロック414で、ワイヤレス装置は第3者装置とのアクティブコールを第2のネットワークへ伝送するためのコール伝送コマンドを送信して、第1のネットワークを通した第3者装置への接続をリリースすることができる。ブロック416で、ワイヤレス装置は第2のネットワーク上で第2のSIMを通して第3者装置とのアクティブコールを継続することができる。
【００５２】
一実施形態において、コール伝送処理は、3GPP TS 24.091標準仕様で説明されたコール伝送付加サービスであるExplicit Call Transfer (ECT)機能を用いて遂行され得る。したがって、CALL_TRANSFERの後、第2のネットワーク上の第2のSIMを通して装置とパーティーBとの間の直接通信が存在する。この方法は3GPP TS 24.091標準仕様に定義された既存の機能を用いるので、キャリアネットワークまたは通信基準についての変更が要求されず、本発明はワイヤレス装置のソフトウェア構成で実装され得る。
【００５３】
図5は、ワイヤレス装置200などのデュアルSIMワイヤレス装置でのアクティブコールの間に交換できる例示的なメッセージのメッセージフローチャートである。一実施形態において、各プロトコルスタック内のネットワーク階層の接続管理サブ階層(たとえば、CM1、CM2)は、付加サービスを管理するように動作できる。たとえば、CM1は第1のネットワーク(たとえば、ネットワーク110)のコンポーネントにコールセットアップメッセージ502を送信して第3者装置との音声コールまたはデータセッション(「コールA」)を確立することができる。ネットワークコンポーネントは、たとえば、基地局106、108、BSC116、および/またはワイヤレス装置200のSIMのコールセットアップ機能を直接または間接に遂行できる様々な他の装置のいずれかであることができる。上述されたように、ワイヤレス装置はネットワーク状態、たとえば、無線信号強度をモニタリングするハードウェアを含むことができる。プロトコルスタックの物理階層(PL1)は第1のネットワーク110上の現在の無線信号強度の変化(たとえば、RSSIイベント)をCM1に知らせるメッセージ504をCM1に送信することができ、CM1が現在のRSSI値を計算することを可能にする情報を提供することができる。無線チャネル状態がコール失敗しきい値を満たすと、CM1によりCall_Trigger_Handler()ルーチンが開始されコールを第2のネットワークへ伝送するか否かを決定することができる。一実施形態において、ネットワークの信号強度を評価して適切な応答を遂行するといったように、上記で図3Aおよび図3Bに関して説明された機能を提供するために、Call_Trigger_Handler()が呼出され得る。たとえば、Call_Trigger_Handler()はアクティブコールのネットワーク(すなわち、第1のネットワーク110)のインカミング信号強度についてのRSSI値を評価することができる。一実施形態において、RSSI値は、第1のネットワーク110についてのコール失敗しきい値と比較され得る。
【００５４】
様々な実施形態において、コール失敗条件が満たされると(たとえば、現在のRSSI値がトリガーしきい値未満であると)、Call_Trigger_Timer()ハンドラーは図3Bに関して上述されたように、伝送タイマーを開始することができる。タイマー終了時、CM1はコールAが第2のネットワークへ伝送されることを決定することができる。一実施形態において、伝送タイマー開始後現在のRSSI値がコール失敗しきい値よりも高いレベルに復帰すると、しきい値タイマーは取消され得る。様々な実施形態において、コール失敗しきい値および/または伝送タイマー持続時間はユーザにより設定され得る。
【００５５】
コールAが第2のネットワークへ伝送される場合であれば、CM1はメッセージ506をCM2に送信することができる。メッセージ506はCM2に命令を提供するためのMSISDN1のようなパラメータを含むことができる。メッセージ506を受信することに応じて、CM2は第2のネットワーク114のコンポーネント(たとえば、基地局112、BSC118など)にコールセットアップ要求(メッセージ508内の)を送信し、MSISDN1へのMOコールのセットアップを要請することができる。その結果、CM2からのMT音声コールのためのページング信号メッセージ510が第1のネットワーク110によりCM1に送信され得る。
【００５６】
CM1はメッセージ512を第1のネットワーク110に送信することによってコールAを待機状態にすることができ、またページ応答メッセージ514を第1のネットワーク110に送信することができる。第1のネットワークはコールセットアップメッセージ516をCM1に送信してCM1とCM2との間に音声コール(「コールB」)を確立することができる。CM1はメッセージ518を送信して待機状態のコールAを検索することができる。この方式で、CM1とCM2との間に多者会議コールが確立され得、これは一連のメッセージ520、522を含むことができる。
【００５７】
第1のネットワーク110から第2のネットワーク114へコールAを伝送するために、CM1によりCall_Release_Handler()ルーチンが開始され得る。CM1はメッセージ524を第1のネットワーク110に送信して、コールAのリリースを要求する。第1のネットワーク110はコールAがリリースされたことを確認するメッセージ526をCM1に送信することができる。以前に多者会議コールであった音声コールは、第2のネットワーク114上でCM2と第3者装置との間にアクティブ状態を維持することができ、一連のメッセージ528、530を含むことができる。
【００５８】
各種ワイヤレス装置のいずれかで様々な実施形態を実施することができ、その一例が図6に例示される。たとえば、ワイヤレス装置600は内部メモリ604および610に連結されたプロセッサ602を含むことができる。内部メモリ604および610は揮発性または不揮発性のメモリであることができ、また保安および/または暗号化メモリ、または非保安および/または非暗号化メモリ、またはこれらの任意の組合せであることができる。プロセッサ602はまた抵抗感知タッチスクリーン、容量感知タッチスクリーン、赤外線感知タッチスクリーンなどのタッチスクリーンディスプレイ606に連結され得る。また、ワイヤレス装置600のディスプレイはタッチスクリーン機能を有する必要はない。また、ワイヤレス装置600は1つまたは複数のワイヤレスデータリンクに接続できる電磁気放射線を送信および受信するための1つまたは複数のアンテナ608および/またはプロセッサ602に連結されたセルラー電話トランシーバ616を有することができる。また、ワイヤレス装置600はユーザ入力を受信するための物理的ボタン612aおよび612bを含むことができる。また、ワイヤレス装置600はワイヤレス装置600をオンおよびオフするための電源ボタン618を含むことができる。また、ワイヤレス装置600はプロセッサ602に連結されたバッテリ620を含むことができる。また、ワイヤレス装置600はプロセッサ602に連結された、GPS受信機のような位置センサ622を含むことができる。
【００５９】
また、上述された様々な実施形態は、図7に例示されたようなラップトップコンピュータ710のような様々な個人コンピューティング装置内に実装され得る。多くのラップトップコンピュータはコンピュータのポインティング装置として機能するタッチパッドタッチ表面717を含むので、上述されたタッチスクリーンディスプレイを備えたモバイルコンピューティング装置上で実施される場合と類似したドラッグ、スクロール、およびフリックジェスチャを受けることができる。通常、ラップトップコンピュータ710は揮発性メモリ712およびフラッシュメモリのディスクドライブ713のような大容量不揮発性メモリに連結されたプロセッサ711を含むものである。また、ラップトップコンピュータ710はプロセッサ711に連結されたフロッピー(登録商標)ディスクドライブ714およびコンパクトディスク(CD)ドライブ715を含むことができる。また、ラップトップコンピュータ710は、USBまたはFireWire(登録商標)コネクタソケットのように、データ接続を確立するかまたは外部メモリ装置を収容するためにプロセッサ711に連結される多数のコネクタポート、またはプロセッサ711をネットワークに連結するための他のネットワーク接続回路を含むことができる。
【００６０】
ノートブック構成で、コンピュータハウジングは、プロセッサ711に連結されたタッチパッド717、キーボード718、およびディスプレイ719を含む。また、ラップトップコンピュータ710はプロセッサ711に連結されたバッテリ720を含むことができる。また、ラップトップコンピュータ710はプロセッサ711に連結された、GPS受信機のような、位置センサ722を含むことができる。また、ラップトップコンピュータ710はプロセッサ711に連結された1つまたは複数のワイヤレスデータリンクおよび/またはセルラー電話トランシーバ716に接続され得る電磁気放射線を送信および受信するための1つまたは複数のアンテナ708を有することができる。公知のように、コンピューティング装置の他の構成は、プロセッサに連結された(たとえば、USB入力を通して)コンピュータマウスまたはトラックボールを含むことができ、これらは様々な実施形態と連係して使用され得る。
【００６１】
様々な実施形態は、図8に例示されたサーバ800のように市販される様々なサーバ装置のいずれかに実装され得る。通常、そのようなサーバ800は揮発性メモリ802およびディスクドライブ803のような大容量不揮発性メモリに連結されたプロセッサ801を含む。また、サーバ800はプロセッサ801に連結されたフロッピー(登録商標)ディスクドライブ、コンパクトディスク(CD)またはDVDディスクドライブ804を含むことができる。また、サーバ800は他の放送システムコンピュータおよびサーバに連結されたローカル領域ネットワーク、インターネット、public switched telephone network (PSTN)、および/またはセルラーデータネットワーク(たとえば、CDMA、TDMA、GSM(登録商標)、PCS、3G、4G、LTEまたは任意の他の類型のセルラーデータネットワーク)のようなネットワーク807とのネットワークインターフェース接続を確立するためにプロセッサ801に連結されたネットワークアクセスポート806を含むことができる。
【００６２】
プロセッサ602、711および801は、ソフトウェア命令語(アプリケーション)により構成され、上述された様々な実施形態の機能を含む様々な機能を遂行し得る任意のプログラム可能マイクロプロセッサ、マイクロコンピュータまたはマルチプルプロセッサチップまたはチップ等であることができる。一部の装置には、1つのプロセッサはワイヤレス通信機能専用であり、1つのプロセッサは他のアプリケーション実行専用であるようなマルチプルプロセッサが提供され得る。通常、ソフトウェアアプリケーションはそれらがアクセスされてプロセッサ602、711、801にロードされる前に内部メモリ604、610、712、713、802、および803に格納され得る。プロセッサ602、711、801はアプリケーションソフトウェア命令語を格納するのに十分な内部メモリを含むことができる。多くの装置で内部メモリは揮発性メモリまたはフラッシュメモリのような不揮発性メモリ、またはこれらの結合であることができる。本明細書のために、一般的に言及されるメモリはプロセッサ602、711および801によりアクセス可能なメモリを示し、プロセッサ602、711および801内の内部メモリまたはプロセッサ602、711および801内の装置およびメモリにプラグインされた着脱式メモリを含む。
【００６３】
以前の方法説明および処理フローチャートは、例示的な例として提示されるだけであり、様々な実施形態のステップが提示された順序で遂行されることを要求または暗示しようとするものではない。当業者に理解されるように、以前の実施形態におけるステップの順序は任意の順序で遂行され得る。「その後」、「次いで」、「次に」などの単語は、ステップの順序を限定しようとするものではなく、これらの単語は単純に方法の説明中に読者をガイドするために用いられる。また、たとえば、冠詞「a」、「an」または「the」を用いて特許請求の範囲の構成要素を単数形で言及するいずれの場合も、その構成要素を単数形に限定するものと解釈されてはならない。
【００６４】
本明細書に開示の実施形態と関連して説明された様々な例示的な論理ブロック、モジュール、回路およびアルゴリズムステップは、電子的ハードウェア、コンピュータソフトウェアまたはこれらの組合せで実装され得る。上記において、このようなハードウェアとソフトウェアの互換性を明確に例示するために、様々な例示的なコンポーネント、ブロック、モジュール、回路およびステップがそれらの機能に関して、概して説明されてきた。そのような機能がハードウェアまたはソフトウェアとして実装されるか否かは、全体システムに賦課された特定アプリケーションおよび設計制限に依存する。当業者は、上述された機能を各特定アプリケーションについて様々な方法で実施できるが、そのような実施決定は、本発明の権利範囲から外れるようにするものと解釈されてはならない。
【００６５】
本明細書に開示の様態と関連して説明された様々な例示的なロジック、論理ブロック、モジュール、および回路を実現するために用いられたハードウェアは、本明細書で説明された機能を遂行するように設計された汎用プロセッサ、デジタル信号プロセッサ(DSP: digital signal processor)、特定用途集積回路(ASIC: application specific integrated circuit)、フィールドプログラム可能ゲートアレイ(FPGA: field programmable gate array)または他のプログラム可能論理装置、離散ゲートまたはトランジスタロジック、離散ハードウェアコンポーネントまたはこれらの任意の組合せで実装または実施され得る。汎用プロセッサはマイクロプロセッサであることができるが、代案として、プロセッサは、任意の従来プロセッサ、コントローラ、マイクロコントローラまたは状態機器であることができる。また、プロセッサはコンピューティング装置の組合せ、たとえば、DSPおよびマイクロプロセッサ、複数のマイクロプロセッサ、DSPコアとともに用いられる1つまたは複数のマイクロプロセッサ、または任意の他のそのような構成の組合せとして実装され得る。
【００６６】
1つまたは複数の例示的な様態において、上述された機能は、ハードウェア、ソフトウェア、ファームウェアまたはこれらの任意の組合せで実装され得る。ソフトウェアで実装される場合、非一時的プロセッサ読取り可能記憶媒体上に1つまたは複数の命令語またはコードとして格納され得る。本明細書に開示の方法またはアルゴリズムのステップは、非一時的コンピュータ読取り可能記憶媒体上に常駐できるプロセッサ実行可能ソフトウェアモジュールで具体化され得る。有形の非一時的プロセッサ読取り可能記憶媒体は、コンピュータ、モバイルコンピューティング装置またはワイヤレス通信装置のプロセッサによりアクセスされ得る任意の利用可能な媒体であることができる。制限ではなく例として、そのような非一時的プロセッサ読取り可能媒体は、所望のプログラムコードを命令語またはデータ構造の形態で格納するのに用いられ得、コンピューティング装置のプロセッサによりアクセスされ得るRAM、ROM、EEPROM、CD-ROMまたは他の光ディスクストレージ、磁気ディスクストレージまたは他の磁気記憶装置、または任意の他の媒体を含むことができる。本明細書で用いられたディスク(DiskおよびDisc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は、通常データを磁気的に再生する一方、ディスク(disc)は、データをレーザーで光学的に再生する。上記の組合せも非一時的プロセッサ読取り可能媒体の権利範囲内に含まれなければならない。また、方法またはアルゴリズムの動作は、有形の非一時的機器読取り可能媒体および/または非一時的プロセッサ読取り可能媒体上に1つまたは任意の組合せまたは1セットのコードおよび/または命令語として常駐でき、コンピュータプログラム製品に組み込まれ得る。
【００６７】
開示の実施形態のこれまでの説明は、当業者が本発明を作成または使用できるようにするために提供される。この実施形態についての様々な変形は、当業者にとって自明なものであり、本明細書に定義された包括的な原理は、本発明の趣旨または権利範囲から外れず他の実施形態に適用され得る。したがって、本発明は、本明細書で示された実施形態に限定しようとするものではなく、添付の特許請求の範囲および本明細書に開示の原理および新規な特徴と一貫した最も広い範囲を与えようとするものである。
【符号の説明】
【００６８】
100  ワイヤレスネットワークシステム
102  ワイヤレス装置
104  ワイヤレス装置
106  基地局
108  基地局
110  ワイヤレスネットワーク
112  基地局
114  ワイヤレスネットワーク
116  基地局コントローラ
118  基地局コントローラ
120  コアネットワーク
122  コアネットワーク
200  ワイヤレス装置
202  汎用プロセッサ
204  メモリ
206  ベースバンドプロセッサ
208a  SIM
208b  SIM
210a  SIMインターフェース
210b  SIMインターフェース
212  RFトランシーバ
214  アンテナ
216  システムオンチップ装置
222  キーパッド
224  タッチスクリーンディスプレイ
226  マイクロホン
250  ソフトウェアアーキテクチャ
252a  プロトコルスタック
252b  プロトコルスタック
254a  物理階層
254b  物理階層
256a  データリンク階層
256b  データリンク階層
258a  ネットワーク階層
258b  ネットワーク階層
262  ホスト階層
264  ハードウェアインターフェース
508  メッセージ
510  ページング信号メッセージ
512  メッセージ
516  コールセットアップメッセージ
518  メッセージ
520  メッセージ
522  メッセージ
526  メッセージ
528  メッセージ
530  メッセージ
600  ワイヤレス装置
602  プロセッサ
604  内部メモリ
606  タッチスクリーンディスプレイ
608  アンテナ
610  内部メモリ
612a  物理的ボタン
612b  物理的ボタン
616  セルラー電話トランシーバ
618  電源ボタン
620  バッテリ
622  位置センサ
708  アンテナ
710  ラップトップコンピュータ
711  プロセッサ
712  揮発性メモリ
713  ディスクドライブ
714  フロッピー(登録商標)ディスクドライブ
715  コンパクトディスクドライブ
716  ワイヤレスデータリンクおよび/またはセルラー電話トランシーバ
717  タッチパッド
718  キーボード
719  ディスプレイ
720  バッテリ
722  位置センサ
800  サーバ
801  プロセッサ
802  揮発性メモリ
803  ディスクドライブ
804  フロッピー(登録商標)ディスクドライブ、コンパクトディスクまたはDVDディスクドライブ
806  ネットワークアクセスポート
807  ネットワーク
【図１】
2016511622.tif 000003
【図２Ａ】
2016511622.tif 000004
【図２Ｂ】
2016511622.tif 000005
【図３Ａ】
2016511622.tif 000006
【図３Ｂ】
2016511622.tif 000007
【図４】
2016511622.tif 000008
【図５】
2016511622.tif 000009
【図６】
2016511622.tif 000010
【図７】
2016511622.tif 000011
【図８】
2016511622.tif 000012
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
少なくとも第1のSIMおよび第2のSIMを含む複数の着脱式SIMを収容するように構成されたマルチSIM(multi-SIM: multiple-subscriber identification module)ワイヤレス装置上でワイヤレス通信の品質を維持するための方法であって、
前記第1のSIMと関連付けられた第1のネットワーク上で第3者装置との第1のアクティブコールを確立するステップと、
前記第1のアクティブコールが前記第2のSIMと関連付けられた第2のネットワークへ伝送されるべきか否かを決定するステップと、
前記第1のアクティブコールが前記第2のネットワークへ伝送されるべきものと決定されることに応じて、前記マルチSIMワイヤレス装置、前記第2のSIMと関連付けられた前記第2のネットワーク、および前記第3者装置間の多者会議コールを、前記第1のSIMと関連付けられた前記第1のネットワークを通して確立するステップと、
前記第2のSIMと関連付けられた前記第2のネットワークを通して前記多者会議コールが前記マルチSIMワイヤレス装置と前記第3者装置との間の新たなアクティブコールになるように前記第1のアクティブコールをリリースするステップと
を含む方法。
【請求項２】
前記多者会議コールを確立するステップは、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからの前記ページング信号に応じて、第2のアクティブコールを確立するステップと、
前記第1のアクティブコールを待機状態から解除するステップと
を含む請求項1に記載の方法。
【請求項３】
前記第1のアクティブコールが前記第2のネットワークへ伝送されるべきか否かを決定するステップは、
前記マルチSIMワイヤレス装置での第1のネットワーク接続の無線チャネル状態をモニタリングするステップと、
前記第1のネットワーク接続の前記無線チャネル状態に基づいて、前記第1のネットワーク接続が十分に低下したか否かを決定するステップと
を含む請求項2に記載の方法。
【請求項４】
前記第1のネットワーク接続の無線チャネル状態をモニタリングするステップは、
前記第1のネットワークの待機されたセルの無線チャネルについて受信信号強度をモニタリングするステップと、
前記第1のネットワークの前記待機されたセルについて受信信号強度インジケータ、RSSI値を算出するステップと
を含む請求項3に記載の方法。
【請求項５】
前記第1のネットワーク接続が十分に低下したか否かを決定するステップは、
前記第1のネットワークの前記待機されたセルについて算出されたRSSI値をコール失敗しきい値と比較するステップを含む請求項4に記載の方法。
【請求項６】
前記第1のネットワークの前記セルについて算出されたRSSI値が前記コール失敗しきい値未満であるか否かを決定するステップをさらに含む請求項5に記載の方法。
【請求項７】
前記第1のSIMに前記ページング信号を送信するように前記第2のSIMと関連付けられた前記第2のネットワークをトリガーするステップは、
前記算出されたRSSI値がトリガーしきい値未満であるものと決定されることに応じてタイマーを開始するステップと、
前記タイマーが終了されたか否かを決定するステップとを含み、
前記タイマーの終了時、前記ページング信号を送信するように前記第2のSIMと関連付けられた前記第2のネットワークをトリガーするステップが遂行される請求項6に記載の方法。
【請求項８】
前記タイマーが作動中であるか否かを決定し、前記第1のネットワークの前記セルについて算出されたRSSI値が前記トリガーしきい値未満でないものと決定されることに応じて前記タイマーを取消すステップをさらに含む請求項7に記載の方法。
【請求項９】
前記トリガーしきい値は、前記コール失敗しきい値に等しい請求項8に記載の方法。
【請求項１０】
前記トリガーしきい値は、前記コール失敗しきい値とは独立的である請求項8に記載の方法。
【請求項１１】
前記タイマーの持続時間は、前記マルチSIMワイヤレス装置により受信されたユーザ入力に応じてあらかじめ設定される請求項7に記載の方法。
【請求項１２】
前記コール失敗しきい値は、前記マルチSIMワイヤレス装置により受信されたユーザ入力に基づいて決定される請求項5に記載の方法。
【請求項１３】
前記第1のネットワーク接続が十分に低下したか否かを決定するステップは、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
をさらに含む請求項5に記載の方法。
【請求項１４】
前記第1のアクティブコールが前記第2のネットワークへ伝送されるか否かを決定するステップは、前記第2のSIMがアイドル状態であるか否かを決定するステップをさらに含む請求項13に記載の方法。
【請求項１５】
前記第1のアクティブコールが前記第2のネットワークへ伝送されるか否かを決定するステップは、前記第1のネットワーク内の1つまたは複数の隣接するセルから前記マルチSIMワイヤレス装置により十分な信号が受信されるか否かを決定するステップを含み、
前記第1のネットワーク内の1つまたは複数の隣接するセルから前記マルチSIMワイヤレス装置により十分な信号が受信されるものと決定されることに応じて、前記第1のアクティブコールは、前記第1のネットワーク上で維持され隣接するセルにハンドオフされる請求項1に記載の方法。
【請求項１６】
前記第1のネットワーク接続の無線チャネル状態をモニタリングするステップは、前記第1のネットワークの受信された無線信号のキャリアに対する雑音比をモニタリングするステップを含む請求項3に記載の方法。
【請求項１７】
前記第1のアクティブコールをリリースするステップは、Explicit Call Transfer、ECT付加サービス要求を含むメッセージを前記第1のネットワークのコンポーネントに送信するステップを含む請求項1に記載の方法。
【請求項１８】
前記マルチSIMワイヤレス装置は、デュアルSIMデュアルアクティブ、DSDAワイヤレス通信装置である請求項1に記載の方法。
【請求項１９】
前記第1のネットワークにより実施されるチャネルアクセス方法は、前記第2のネットワークにより実施されるチャネルアクセス方法と異なる請求項1に記載の方法。
【請求項２０】
前記第1のSIMと前記第2のSIMとの間のコール伝送を無効にするように選択可能なオプションを、ユーザインターフェースを通して提示するステップをさらに含み、
前記第1のアクティブコールが前記第2のネットワークへ伝送されるか否かを決定するステップは、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持される請求項1に記載の方法。
【請求項２１】
前記第1のSIMと前記第2のSIMとの間のコール伝送を無効にするように選択可能なオプションを、前記ユーザインターフェースを通して提示するステップは、1セットの基準を満たすコールについてのコール伝送を無効にするように選択可能なオプションを提示するステップを含む請求項20に記載の方法。
【請求項２２】
前記マルチSIMワイヤレス装置の現在位置を決定するステップと、
前記マルチSIMワイヤレス装置の現在位置に基づいて第1のネットワーク接続が十分に低下するか否かを予測するステップと
をさらに含む請求項1に記載の方法。
【請求項２３】
前記第1のネットワーク接続が十分に低下するか否かを予測するステップは、前記第1のネットワークについての低品質受信ゾーンのデータベースにアクセスすることによって遂行される請求項22に記載の方法。
【請求項２４】
前記第1のネットワーク接続が十分に低下するか否かを予測するステップは、前記第1のネットワークを通した前記マルチSIMワイヤレス装置上の以前の通信からの格納された記録を用いて遂行される請求項22に記載の方法。
【請求項２５】
少なくとも第1のSIMおよび第2のSIMを含む複数の着脱式SIMを収容するように構成されたマルチSIM(multi-SIM: multiple-subscriber identification module)ワイヤレス装置であって、
前記第1のSIMと関連付けられた少なくとも第1のネットワークおよび前記第2のSIMと関連付けられた第2のネットワークとインターフェースするように構成されたトランシーバと、
前記トランシーバに連結されるプロセッサとを含み、
前記プロセッサは、
前記第1のSIMと関連付けられた前記第1のネットワーク上で第3者装置との第1のアクティブコールを確立するステップと、
前記第1のアクティブコールが前記第2のSIMと関連付けられた第2のネットワークへ伝送されるべきか否かを決定するステップと、
前記第1のアクティブコールが前記第2のネットワークへ伝送されるべきものと決定されることに応じて、前記第2のSIMと関連付けられた前記第2のネットワークおよび前記第3者装置との多者会議コールを、前記第1のSIMと関連付けられた前記第1のネットワークを通して確立するステップと、
前記第2のSIMと関連付けられた前記第2のネットワークを通して前記多者会議コールが前記第3者装置との間で新たなアクティブコールになるように前記第1のアクティブコールをリリースするステップと
を含む動作を遂行するように構成されるマルチSIMワイヤレス装置。
【請求項２６】
前記プロセッサは、
前記多者会議コールを確立するステップが、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからのページング信号に応じて、第2のアクティブコールを確立するステップと、
前記第1のアクティブコールを待機状態から解除するステップと
を含むように
動作を遂行するように構成される請求項25に記載のマルチSIMワイヤレス装置。
【請求項２７】
前記プロセッサは、
前記第1のアクティブコールが前記第2のネットワークへ伝送されるべきか否かを決定するステップが、
第1のネットワーク接続の無線チャネル状態をモニタリングするステップと、
前記第1のネットワーク接続の無線チャネル状態に基づいて、前記第1のネットワーク接続が十分に低下したか否かを決定するステップと
を含むように
動作を遂行するように構成される請求項26に記載のマルチSIMワイヤレス装置。
【請求項２８】
前記プロセッサは、
前記第1のネットワーク接続の無線チャネル状態をモニタリングするステップが、
前記第1のネットワークの待機されたセルの無線チャネルについて受信信号強度をモニタリングするステップと、
前記第1のネットワークの前記待機されたセルについて受信信号強度インジケータ、RSSI値を算出するステップと
を含むように
動作を遂行するように構成される請求項27に記載のマルチSIMワイヤレス装置。
【請求項２９】
前記プロセッサは、
前記第1のネットワーク接続が十分に低下したか否かを決定するステップが、前記第1のネットワークの前記待機されたセルについて算出されたRSSI値をコール失敗しきい値と比較するステップを含むように動作を遂行するように構成される請求項28に記載のマルチSIMワイヤレス装置。
【請求項３０】
前記プロセッサは、前記第1のネットワークの前記セルについて算出されたRSSI値が前記コール失敗しきい値未満であるか否かを決定するステップをさらに含む動作を遂行するように構成される請求項29に記載のマルチSIMワイヤレス装置。
【請求項３１】
前記プロセッサは、
前記第1のSIMに前記ページング信号を送信するように前記第2のSIMと関連付けられた前記第2のネットワークをトリガーするステップが、
前記算出されたRSSI値がトリガーしきい値未満であるものと決定されることに応じてタイマーを開始するステップと、
前記タイマーが終了されたか否かを決定するステップとを含み、
前記第2のSIMと関連付けられた前記第2のネットワークをトリガーするステップが、前記タイマーの終了時に遂行される
ように動作を遂行するように構成される請求項30に記載のマルチSIMワイヤレス装置。
【請求項３２】
前記プロセッサは、前記タイマーが作動中であるか否かを決定し前記第1のネットワークの前記セルについて算出されたRSSI値が前記トリガーしきい値未満であるものと決定されることに応じて前記タイマーを取消すステップをさらに含む動作を遂行するように構成される、請求項31に記載のマルチSIMワイヤレス装置。
【請求項３３】
前記トリガーしきい値は、前記コール失敗しきい値と等しい請求項31に記載のマルチSIMワイヤレス装置。
【請求項３４】
前記トリガーしきい値は、前記コール失敗しきい値とは独立的である請求項31に記載のマルチSIMワイヤレス装置。
【請求項３５】
前記タイマーの持続時間は、受信されたユーザ入力に応じてあらかじめ設定される請求項31に記載のマルチSIMワイヤレス装置。
【請求項３６】
前記コール失敗しきい値は、受信されたユーザ入力に基づいて決定される請求項29に記載のマルチSIMワイヤレス装置。
【請求項３７】
前記プロセッサは、
前記第1のネットワーク接続が十分に低下したか否かを決定するステップが、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
を含むように
動作を遂行するように構成される請求項29に記載のマルチSIMワイヤレス装置。
【請求項３８】
前記プロセッサは、
前記第1のアクティブコールが前記第2のネットワークへ伝送されるか否かを決定するステップが前記第2のSIMがアイドル状態であるか否かを決定するステップをさらに含むように
動作を遂行するように構成される請求項37に記載のマルチSIMワイヤレス装置。
【請求項３９】
前記プロセッサは、
前記第1のアクティブコールが前記第2のネットワークへ伝送されるか否かを決定するステップが前記第1のネットワーク内の1つまたは複数の隣接するセルから十分な信号が受信されるか否かを決定するステップを含み、
前記第1のネットワーク内の1つまたは複数の隣接するセルから十分な信号が受信されるものと決定されることに応じて、前記第1のアクティブコールは前記第1のネットワーク上で維持され隣接するセルにハンドオフされるように
動作を遂行するように構成される請求項25に記載のマルチSIMワイヤレス装置。
【請求項４０】
前記プロセッサは、
前記第1のネットワーク接続の無線チャネル状態をモニタリングするステップが、前記第1のネットワークの受信された無線信号のキャリアに対する雑音比をモニタリングするステップを含むように
動作を遂行するように構成される請求項27に記載のマルチSIMワイヤレス装置。
【請求項４１】
前記プロセッサは、
前記第1のアクティブコールをリリースするステップが、Explicit Call Transfer、ECT付加サービス要求を含むメッセージを前記第1のネットワークのコンポーネントに送信するステップを含むように
動作を遂行するように構成される請求項25に記載のマルチSIMワイヤレス装置。
【請求項４２】
前記マルチSIMワイヤレス装置は、デュアルSIMデュアルアクティブ、DSDAワイヤレス通信装置である請求項25に記載のマルチSIMワイヤレス装置。
【請求項４３】
前記第1のネットワークにより実施されるチャネルアクセス方法は、前記第2のネットワークにより実施されるチャネルアクセス方法と異なる請求項25に記載のマルチSIMワイヤレス装置。
【請求項４４】
前記プロセッサは、
前記第1のSIMと前記第2のSIMとの間のコール伝送を無効にするように選択可能なオプションを、ユーザインターフェースを通して提示するステップをさらに含む動作を遂行し、
前記第1のアクティブコールが前記第2のネットワークへ伝送されるか否かを決定するステップが、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持されるように動作を遂行するように構成される請求項25に記載のマルチSIMワイヤレス装置。
【請求項４５】
前記プロセッサは、
前記第1のSIMと前記第2のSIMとの間のコール伝送を無効にするように選択可能なオプションを、前記ユーザインターフェースを通して提示するステップは、1セットの基準を満たすコールについてのコール伝送を無効にするように選択可能なオプションを提示するステップを含むように動作を遂行するように構成される請求項44に記載のマルチSIMワイヤレス装置。
【請求項４６】
前記プロセッサは、
前記マルチSIMワイヤレス装置の現在位置を決定するステップと、
前記マルチSIMワイヤレス装置の前記現在位置に基づいて第1のネットワーク接続が十分に低下するか否かを予測するステップと
をさらに含む動作を遂行するように構成される請求項25に記載のマルチSIMワイヤレス装置。
【請求項４７】
前記プロセッサは、
前記第1のネットワーク接続が十分に低下するか否かを予測するステップが、前記第1のネットワークについての低品質受信ゾーンのデータベースにアクセスすることによって遂行されるように動作を遂行するように構成される請求項46に記載のマルチSIMワイヤレス装置。
【請求項４８】
前記プロセッサは、
前記第1のネットワーク接続が十分に低下するか否かを予測するステップが、前記第1のネットワークを通した前記マルチSIMワイヤレス装置上の以前の通信からの格納された記録を用いて遂行されるように動作を遂行するように構成される請求項47に記載のマルチSIMワイヤレス装置。
【請求項４９】
少なくとも第1のSIMおよび第2のSIMを含む複数の着脱式SIMを収容するように構成されたマルチSIM(multi-SIM: multiple-subscriber identification module)ワイヤレス装置であって、
前記第1のSIMと関連付けられた第1のネットワーク上で第3者装置との第1のアクティブコールを確立するための手段と、
前記第1のアクティブコールが前記第2のSIMと関連付けられた第2のネットワークへ伝送されるべきか否かを決定するための手段と、
前記第1のアクティブコールが前記第2のネットワークへ伝送されるべきものと決定されることに応じて、前記マルチSIMワイヤレス装置、前記第2のSIMと関連付けられた前記第2のネットワークおよび前記第3者装置間の多者会議コールを、前記第1のSIMと関連付けられた前記第1のネットワークを通して確立するための手段と、
前記第2のSIMと関連付けられた前記第2のネットワークを通して前記多者会議コールが前記マルチSIMワイヤレス装置と前記第3者装置との間の新たなアクティブコールになるように前記第1のアクティブコールをリリースするための手段と
を含むマルチSIMワイヤレス装置。
【請求項５０】
前記多者会議コールを確立するための手段は、
前記第1のSIMにページング信号を送信するように前記第2のSIMと関連付けられた前記第2のネットワークをトリガーするための手段と、
前記第1のアクティブコールを待機状態にするための手段と、
前記第2のSIMと関連付けられた前記第2のネットワークからの前記ページング信号に応じて、第2のアクティブコールを確立するための手段と、
前記第1のアクティブコールを待機状態から解除するための手段と
を含む請求項49に記載のマルチSIMワイヤレス装置。
【請求項５１】
前記第1のアクティブコールが前記第2のネットワークへ伝送されるべきか否かを決定するための手段は、
前記マルチSIMワイヤレス装置での第1のネットワーク接続の無線チャネル状態をモニタリングするための手段と、
前記第1のネットワーク接続の無線チャネル状態に基づいて、前記第1のネットワーク接続が十分に低下したか否かを決定するための手段と
を含む請求項50に記載のマルチSIMワイヤレス装置。
【請求項５２】
前記第1のネットワーク接続の無線チャネル状態をモニタリングするための手段は、
前記第1のネットワークの待機されたセルの無線チャネルについて受信信号強度をモニタリングするための手段と、
前記第1のネットワークの前記待機されたセルについて受信信号強度インジケータ、RSSI値を算出するための手段と
を含む請求項51に記載のマルチSIMワイヤレス装置。
【請求項５３】
前記第1のネットワーク接続が十分に低下したか否かを決定するための手段は、前記第1のネットワークの前記待機されたセルについて算出されたRSSI値をコール失敗しきい値と比較するための手段を含む請求項52に記載のマルチSIMワイヤレス装置。
【請求項５４】
前記第1のネットワークの前記セルについて算出されたRSSI値が前記コール失敗しきい値未満であるか否かを決定するための手段をさらに含む請求項53に記載のマルチSIMワイヤレス装置。
【請求項５５】
前記第1のSIMに前記ページング信号を送信するように前記第2のSIMと関連付けられた前記第2のネットワークをトリガーするための手段は、
前記算出されたRSSI値がトリガーしきい値未満であるものと決定されることに応じてタイマーを開始するための手段と、
前記タイマーが終了されたか否かを決定するための手段とを含み、
前記タイマーの終了時、前記第2のSIMと関連付けられた前記第2のネットワークをトリガーすることが遂行される請求項54に記載のマルチSIMワイヤレス装置。
【請求項５６】
前記タイマーが作動中であるか否かを決定し前記第1のネットワークの前記セルについて算出されたRSSI値が前記トリガーしきい値未満でないものと決定されることに応じて前記タイマーを取消すための手段をさらに含む請求項55に記載のマルチSIMワイヤレス装置。
【請求項５７】
前記トリガーしきい値は、前記コール失敗しきい値と等しい請求項56に記載のマルチSIMワイヤレス装置。
【請求項５８】
前記トリガーしきい値は、前記コール失敗しきい値とは独立的である請求項56に記載のマルチSIMワイヤレス装置。
【請求項５９】
前記タイマーの持続時間は、前記マルチSIMワイヤレス装置により受信されたユーザ入力に応じてあらかじめ設定される請求項55に記載のマルチSIMワイヤレス装置。
【請求項６０】
前記コール失敗しきい値は、前記マルチSIMワイヤレス装置により受信されたユーザ入力に基づいて決定される請求項55に記載のマルチSIMワイヤレス装置。
【請求項６１】
前記第1のネットワーク接続が十分に低下したか否かを決定するための手段は、
前記第2のネットワークの待機されたセルについて受信信号強度をモニタリングするための手段と、
前記第2のネットワークの前記待機されたセルの無線チャネルについてRSSI値を算出するための手段と、
前記第1および第2のネットワークの前記待機されたセルについて算出されたRSSI値を比較するための手段と
をさらに含む請求項53に記載のマルチSIMワイヤレス装置。
【請求項６２】
前記第1のアクティブコールが前記第2のネットワークへ伝送されるか否かを決定するための手段は、前記第2のSIMがアイドル状態であるか否かを決定するための手段をさらに含む請求項61に記載のマルチSIMワイヤレス装置。
【請求項６３】
前記第1のアクティブコールが前記第2のネットワークへ伝送されるか否かを決定するための手段は、前記第1のネットワーク内の1つまたは複数の隣接するセルから前記マルチSIMワイヤレス装置により十分な信号が受信されるか否かを決定するための手段を含み、
前記第1のネットワーク内の1つまたは複数の隣接するセルから前記マルチSIMワイヤレス装置により十分な信号が受信されるものと決定されることに応じて、前記第1のアクティブコールは前記第1のネットワーク上で維持され隣接するセルにハンドオフされる請求項49に記載のマルチSIMワイヤレス装置。
【請求項６４】
前記第1のネットワーク接続の無線チャネル状態をモニタリングするための手段は、前記第1のネットワークの受信された無線信号のキャリアに対する雑音比をモニタリングするための手段を含む請求項51に記載のマルチSIMワイヤレス装置。
【請求項６５】
前記第1のアクティブコールをリリースするための手段は、Explicit Call Transfer、ECT付加サービス要求を含むメッセージを前記第1のネットワークのコンポーネントに送信するための手段を含む請求項49に記載のマルチSIMワイヤレス装置。
【請求項６６】
前記マルチSIMワイヤレス装置は、デュアルSIMデュアルアクティブ、DSDAワイヤレス通信装置である請求項49に記載のマルチSIMワイヤレス装置。
【請求項６７】
前記第1のネットワークにより実施されるチャネルアクセスのための手段は、前記第2のネットワークにより実施されるチャネルアクセスのための手段と異なる請求項49に記載のマルチSIMワイヤレス装置。
【請求項６８】
前記第1のSIMと前記第2のSIMとの間のコール伝送を無効にするように選択可能なオプションを、ユーザインターフェースを通して提示する手段をさらに含み、
前記第1のアクティブコールが前記第2のネットワークへ伝送されるか否かを決定するための手段は、前記第1のSIMと前記第2のSIMとの間のコール伝送を無効にするユーザ入力が受信されたか否かを決定するための手段を含み、
前記コール伝送オプションが無効にされたものと決定されることに応じて、前記第1のアクティブコールが前記第1のネットワーク上に維持される請求項49に記載のマルチSIMワイヤレス装置。
【請求項６９】
前記第1のSIMと前記第2のSIMとの間のコール伝送を無効にするように選択可能なオプションを、前記ユーザインターフェースを通して提示するための手段は、1セットの基準を満たすコールについてのコール伝送を無効にするように選択可能なオプションを提示するための手段を含む請求項68に記載のマルチSIMワイヤレス装置。
【請求項７０】
前記マルチSIMワイヤレス装置の現在位置を決定するための手段と、
前記マルチSIMワイヤレス装置の前記現在位置に基づいて第1のネットワーク接続が十分に低下するか否かを予測するための手段と
をさらに含む請求項49に記載のマルチSIMワイヤレス装置。
【請求項７１】
前記第1のネットワーク接続が十分に低下するか否かを予測するための手段は、前記第1のネットワークについての低品質受信ゾーンのデータベースにアクセスするための手段を含む請求項70に記載のマルチSIMワイヤレス装置。
【請求項７２】
前記第1のネットワーク接続が十分に低下するか否かを予測するための手段は、前記第1のネットワークを通した前記マルチSIMワイヤレス装置上の以前の通信からの格納された記録を用いるための手段を含む請求項70に記載のマルチSIMワイヤレス装置。
【請求項７３】
少なくとも第1のSIMおよび第2のSIMを含む複数の着脱式SIMを収容するように構成されたマルチSIM(multi-SIM: multiple-subscriber identification module)ワイヤレス装置のプロセッサが動作を遂行するように構成されたプロセッサ実行可能命令語を格納した非一時的プロセッサ読取り可能記憶媒体において、前記動作は、
前記第1のSIMと関連付けられた第1のネットワーク上で第3者装置との第1のアクティブコールを確立するステップと、
前記第1のアクティブコールが前記第2のSIMと関連付けられた第2のネットワークへ伝送されるべきか否かを決定するステップと、
前記第1のアクティブコールが前記第2のネットワークへ伝送されるべきものと決定されることに応じて、前記第2のSIMと関連付けられた前記第2のネットワークおよび前記第3者装置との多者会議コールを、前記第1のSIMと関連付けられた前記第1のネットワークを通して確立するステップと、
前記第2のSIMと関連付けられた前記第2のネットワークを通して前記多者会議コールが前記第3者装置との新たなアクティブコールになるように前記第1のアクティブコールをリリースするステップと
を含む非一時的プロセッサ読取り可能記憶媒体。
【請求項７４】
前記格納されたプロセッサ実行可能命令語は、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからのページング信号に応じて、第2のアクティブコールを確立するステップと、
前記第1のアクティブコールを待機状態から解除するステップと
をさらに含む動作を前記マルチSIMワイヤレス装置プロセッサが遂行するように構成される請求項73に記載の非一時的プロセッサ読取り可能記憶媒体。
【請求項７５】
前記格納されたプロセッサ実行可能命令語は、
前記第1のアクティブコールが前記第2のネットワークへ伝送されるべきか否かを決定するステップが、
前記マルチSIMワイヤレス装置内の第1のネットワーク接続の無線チャネル状態をモニタリングするステップと、
前記第1のネットワーク接続の無線チャネル状態に基づいて、前記第1のネットワーク接続が十分に低下したか否かを決定するステップと
を含むように
前記マルチSIMワイヤレス装置プロセッサが動作を遂行するように構成される請求項74に記載の非一時的プロセッサ読取り可能記憶媒体。
【請求項７６】
前記格納されたプロセッサ実行可能命令語は、
前記第1のネットワーク接続の無線チャネル状態をモニタリングするステップが、
前記第1のネットワークの待機されたセルの無線チャネルについて受信信号強度をモニタリングするステップと、
前記第1のネットワークの前記待機されたセルについて受信信号強度インジケータ、RSSI値を算出するステップと
を含むように
前記マルチSIMワイヤレス装置プロセッサが動作を遂行するように構成される請求項75に記載の非一時的プロセッサ読取り可能記憶媒体。
【請求項７７】
前記格納されたプロセッサ実行可能命令語は、
前記第1のネットワーク接続が十分に低下したか否かを決定するステップが、前記第1のネットワークの前記待機されたセルについて算出されたRSSI値をコール失敗しきい値と比較するステップを含むように、前記マルチSIMワイヤレス装置プロセッサが動作を遂行するように構成される請求項76に記載の非一時的プロセッサ読取り可能記憶媒体。
【請求項７８】
前記格納されたプロセッサ実行可能命令語は、前記マルチSIMワイヤレス装置プロセッサが、前記第1のネットワークのセルについて算出されたRSSI値が前記コール失敗しきい値未満であるか否かを決定するステップをさらに含む動作を遂行するように構成される請求項77に記載の非一時的プロセッサ読取り可能記憶媒体。
【請求項７９】
前記格納されたプロセッサ実行可能命令語は、
前記第1のSIMに前記ページング信号を送信するように前記第2のSIMと関連付けられた前記第2のネットワークをトリガーするステップが、
前記算出されたRSSI値がトリガーしきい値未満であるものと決定されることに応じてタイマーを開始するステップと、
前記タイマーが終了されたか否かを決定するステップとを含み、
前記タイマーの終了時、前記第2のSIMと関連付けられた前記第2のネットワークをトリガーするステップが遂行されるように
前記マルチSIMワイヤレス装置プロセッサが動作を遂行するように構成される請求項78に記載の非一時的プロセッサ読取り可能記憶媒体。
【請求項８０】
前記格納されたプロセッサ実行可能命令語は、マルチSIMワイヤレス装置プロセッサが、前記タイマーが作動中であるか否かを決定し前記第1のネットワークの前記セルについて算出されたRSSI値が前記トリガーしきい値未満でないものと決定されることに応じて前記タイマーを取消すステップをさらに含む動作を遂行するように構成される、請求項79に記載の非一時的プロセッサ読取り可能記憶媒体。
【請求項８１】
前記格納されたプロセッサ実行可能命令語は、前記マルチSIMワイヤレス装置プロセッサが、前記トリガーしきい値が前記コール失敗しきい値と等しいように動作を遂行するように構成される、請求項80に記載の非一時的プロセッサ読取り可能記憶媒体。
【請求項８２】
前記格納されたプロセッサ実行可能命令語は、前記マルチSIMワイヤレス装置プロセッサが、前記トリガーしきい値が前記コール失敗しきい値とは独立になるように動作を遂行するように構成される、請求項80に記載の非一時的プロセッサ読取り可能記憶媒体。
【請求項８３】
前記格納されたプロセッサ実行可能命令語は、前記マルチSIMワイヤレス装置プロセッサが、前記タイマーの持続時間が前記マルチSIMワイヤレス装置により受信されたユーザ入力に応じてあらかじめ設定されるように動作を遂行するように構成される、請求項79に記載の非一時的プロセッサ読取り可能記憶媒体。
【請求項８４】
前記格納されたプロセッサ実行可能命令語は、前記マルチSIMワイヤレス装置プロセッサが、前記コール失敗しきい値が前記マルチSIMワイヤレス装置により受信されたユーザ入力に基づいて決定されるように動作を遂行するように構成される、請求項77に記載の非一時的プロセッサ読取り可能記憶媒体。
【請求項８５】
前記格納されたプロセッサ実行可能命令語は、
前記第1のネットワーク接続が十分に低下したか否かを決定するステップが、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
をさらに含むように、
前記マルチSIMワイヤレス装置プロセッサが動作を遂行するように構成される、請求項77に記載の非一時的プロセッサ読取り可能記憶媒体。
【請求項８６】
前記格納されたプロセッサ実行可能命令語は、前記マルチSIMワイヤレス装置プロセッサが、前記第1のアクティブコールが前記第2のネットワークへ伝送されるか否かを決定するステップが前記第2のSIMがアイドル状態であるか否かを決定するステップをさらに含むように動作を遂行するように構成される、請求項85に記載の非一時的プロセッサ読取り可能記憶媒体。
【請求項８７】
前記格納されたプロセッサ実行可能命令語は、
前記第1のアクティブコールが前記第2のネットワークへ伝送されるか否かを決定するステップが、前記第1のネットワーク内の1つまたは複数の隣接するセルから前記マルチSIMワイヤレス装置により十分な信号が受信されるか否かを決定するステップを含み、
前記第1のネットワーク内の1つまたは複数の隣接するセルから前記マルチSIMワイヤレス装置により十分な信号が受信されるものと決定されることに応じて、前記第1のアクティブコールが前記第1のネットワーク上で維持され隣接するセルにハンドオフされるように
前記マルチSIMワイヤレス装置プロセッサが動作を遂行するように構成される請求項73に記載の非一時的プロセッサ読取り可能記憶媒体。
【請求項８８】
前記格納されたプロセッサ実行可能命令語は、前記マルチSIMワイヤレス装置プロセッサが、前記第1のネットワーク接続の無線チャネル状態をモニタリングするステップが前記第1のネットワークの受信された無線信号のキャリアに対する雑音比をモニタリングするステップを含むように動作を遂行するように構成される、請求項75に記載の非一時的プロセッサ読取り可能記憶媒体。
【請求項８９】
前記格納されたプロセッサ実行可能命令語は、前記マルチSIMワイヤレス装置プロセッサが、前記第1のアクティブコールをリリースするステップがExplicit Call Transfer、ECT付加サービス要求を含むメッセージを前記第1のネットワークのコンポーネントに送信するステップを含むように動作を遂行するように構成される、請求項73に記載の非一時的プロセッサ読取り可能記憶媒体。
【請求項９０】
前記格納されたプロセッサ実行可能命令語は、デュアルSIMデュアルアクティブ、DSDAワイヤレス通信装置のプロセッサ上で実行されるように構成される、請求項73に記載の非一時的プロセッサ読取り可能記憶媒体。
【請求項９１】
前記格納されたプロセッサ実行可能命令語は、前記マルチSIMワイヤレス装置プロセッサが、前記第1のネットワークにより実施されるチャネルアクセス方法が前記第2のネットワークにより実施されるチャネルアクセス方法と異なるように動作を遂行するように構成される、請求項73に記載の非一時的プロセッサ読取り可能記憶媒体。
【請求項９２】
前記格納されたプロセッサ実行可能命令語は、前記マルチSIMワイヤレス装置プロセッサが、
前記第1のSIMと前記第2のSIMとの間のコール伝送を無効にするように選択可能なオプションを、ユーザインターフェースを通して提示するステップをさらに含む動作を遂行し、
前記第1のアクティブコールが前記第2のネットワークへ伝送されるか否かを決定するステップが、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持されるように動作を遂行するように、
構成される請求項73に記載の非一時的プロセッサ読取り可能記憶媒体。
【請求項９３】
前記格納されたプロセッサ実行可能命令語は、前記マルチSIMワイヤレス装置プロセッサが、前記第1のSIMと前記第2のSIMとの間のコール伝送を無効にするように選択可能なオプションを、前記ユーザインターフェースを通して提示するステップが、1セットの基準を満たすコールについてのコール伝送を無効にするように選択可能なオプションを提示するステップを含むように動作を遂行するように構成される、請求項92に記載の非一時的プロセッサ読取り可能記憶媒体。
【請求項９４】
前記格納されたプロセッサ実行可能命令語は、前記マルチSIMワイヤレス装置プロセッサが、
前記マルチSIMワイヤレス装置の現在位置を決定するステップと、
前記マルチSIMワイヤレス装置の現在位置に基づいて第1のネットワーク接続が十分に低下するか否かを予測するステップと
をさらに含む動作を遂行するように構成される請求項73に記載の非一時的プロセッサ読取り可能記憶媒体。
【請求項９５】
前記格納されたプロセッサ実行可能命令語は、前記第1のネットワーク接続が十分に低下するか否かを予測するステップが前記第1のネットワークについての低品質受信ゾーンのデータベースにアクセスすることによって遂行されるように前記マルチSIMワイヤレス装置プロセッサが動作を遂行するように構成される、請求項94に記載の非一時的プロセッサ読取り可能記憶媒体。
【請求項９６】
前記格納されたプロセッサ実行可能命令語は、前記第1のネットワーク接続が十分に低下するか否かを予測するステップが前記第1のネットワークを通した前記マルチSIMワイヤレス装置上の以前の通信からの格納された記録を用いて遂行されるように、前記マルチSIMワイヤレス装置プロセッサが動作を遂行するように構成される、請求項94に記載の非一時的プロセッサ読取り可能記憶媒体。
【手続補正２】
【補正対象書類名】明細書
【補正対象項目名】００６７
【補正方法】変更
【補正の内容】
【００６７】
開示の実施形態のこれまでの説明は、当業者が本発明を作成または使用できるようにするために提供される。本発明は、本明細書で示された実施形態に限定しようとするものではなく、添付の特許請求の範囲および本明細書に開示の原理および新規な特徴と一貫した最も広い範囲を与えようとするものである。
【手続補正３】
【補正対象書類名】図面
【補正対象項目名】図５
【補正方法】変更
【補正の内容】
【図５】
2016511622.tif 000013
【国際調査報告】
2016511622.tif 000014
2016511622.tif 000015